(57)【要約】【課題】コンピュータ上に仮想咬合器のデータを作成するための、咬合器の作成不要な、安価で普及させやすい技術を提供する。【解決手段】診断装置は、位置データ生成部２２４と結合部２２６を備える。位置データ生成部２２４は、アッパーボウとバイトフォークとの相対的な位置を示す相対位置画像と、バイトフォークと患者の上顎歯列の位置関係を示す上部画像と、患者の上顎歯列と下顎歯列の位置関係を示す咬合画像とを用いて、第１位置データと第２位置データを生成する。結合部２２６は、モデル生成部２２３が生成した患者の上顎歯列と下顎歯列の３次元モデルを、第１位置データと第２位置データを用いて位置合せして、仮想咬合器を生成する。【選択図】図６
2016022228.tif 000002
【特許請求の範囲】
【請求項１】
患者の頭蓋における所定の基準面との相対的な角度を含めた位置関係を一意に定めた状態で患者の頭蓋に固定することができるアッパーボウと、硬化性の物質を塗布して患者の上顎歯列の下面に対して固定することができるバイトフォークと、を備えたフェイスボウであり、患者に正確に取付けられたものの画像を用いて、仮想の咬合器のデータである仮想咬合器データを生成することができる、仮想咬合器データ生成装置であって、
上顎歯列の画像である上顎歯列画像のデータである上顎歯列画像データ、下顎歯列の画像である下顎歯列画像のデータである下顎歯列画像データ、前記バイトフォークと上顎歯列下面の角度を含めた相対的な位置関係を示す画像である上部画像のデータである上部画像データ、前記アッパーボウと前記バイトフォークとがまとめて映り込んだものであり、前記アッパーボウと前記バイトフォークとの角度を含めた相対的な位置関係を示す画像である相対位置画像のデータである相対位置画像データ、及び上顎歯列と下顎歯列の噛合わせの状態を示す画像である咬合画像のデータである咬合画像データを受付けるための、受付手段と、
前記受付手段から受付けた上顎歯列画像データから上顎歯列の３次元モデルである上顎歯列モデルのデータである上顎歯列モデルデータを生成するとともに、前記受付手段から受付けた下顎歯列画像データから下顎歯列の３次元モデルである下顎歯列モデルのデータである下顎歯列モデルデータを生成する、モデル生成手段と、
前記受付手段から受付けた上部画像データ、及び相対位置画像データから、生体の患者における前記基準面に対する角度を含めた上顎歯列の相対的な位置を求めて、仮想の基準面である仮想基準面に対する前記上顎歯列モデルの位置についてのデータである第１位置データを生成するとともに、前記受付手段から受付けた咬合画像データから、上顎歯列に対する角度を含めた下顎歯列の相対的な位置を求めて、前記上顎歯列モデルに対する前記下顎歯列モデルの位置についてのデータである第２位置データを生成する、位置データ生成手段と、
前記モデル生成手段から、前記上顎歯列モデルデータと、前記下顎歯列モデルデータとを受取るとともに、前記位置データ生成手段から、前記第１位置データと、前記第２位置データとを受取り、生体における基準面に対する上顎歯列と下顎歯列の相対的な位置関係を、前記第１位置データと、前記第２位置データを用いて、仮想基準面に対する上顎歯列モデルと下顎歯列モデルの位置関係に再現するようにして、前記仮想咬合器データを生成する、連結手段と、
を備えている仮想咬合器データ生成装置。
【請求項２】
前記咬合画像は、患者の上顎歯列と下顎歯列の噛合わせ部分を撮像した画像である、
請求項１記載の仮想咬合器データ生成装置。
【請求項３】
前記咬合画像は、患者の上顎歯列と下顎歯列との間で咬合された、上顎歯列と下顎歯列の形状を印記できる印記用ペーストの画像である、
請求項１記載の仮想咬合器データ生成装置。
【請求項４】
前記相対位置画像は、前記アッパーボウとの角度を含めた位置関係が予め定められた関係となるようにして前記アッパーボウに取付けられた第１参照体と、前記バイトフォークとの角度を含めた位置関係が予め定められた関係となるようにして前記バイトフォークに取付けられた第２参照体とが、前記アッパーボウ及び前記バイトフォークとともに映り込んだ画像であり、
前記位置データ生成手段は、前記第１参照体と前記アッパーボウとの予め定められた前記位置関係と、前記第２参照体と前記バイトフォークとの予め定められた前記位置関係とについてのデータを用いて、前記相対位置画像に対して画像処理を行うことにより、前記アッパーボウと、前記バイトフォークとの角度を含めた位置関係を検出するようになっている、
請求項１記載の仮想咬合器データ生成装置。
【請求項５】
前記相対位置画像は、複数の方向から撮像された前記第１参照体及び前記第２参照体が映り込んだ少なくとも２つの２次元画像であり、前記相対位置画像データは少なくとも２つの前記相対位置画像についてのデータである、
請求項４記載の仮想咬合器データ生成装置。
【請求項６】
前記相対位置画像は、前記第１参照体及び前記第２参照体が映り込んだ少なくとも１つの３次元画像であり、前記相対位置画像データは少なくとも１つの前記相対位置画像についてのデータである、
請求項１又は４記載の仮想咬合器データ生成装置。
【請求項７】
患者の頭蓋における所定の基準面との相対的な角度を含めた位置関係を一意に定めた状態で患者の頭蓋に固定することができるアッパーボウと、硬化性の物質を塗布して患者の上顎歯列の下面に対して固定することができるバイトフォークと、を備えたフェイスボウであり、患者に正確に取付けられたものの画像を用いて、仮想の咬合器のデータである仮想咬合器データを生成することができる、コンピュータを有する仮想咬合器データ生成装置で実行される仮想咬合器データ生成方法であって、
前記コンピュータが実行する、
上顎歯列の画像である上顎歯列画像のデータである上顎歯列画像データ、下顎歯列の画像である下顎歯列画像のデータである下顎歯列画像データ、前記バイトフォークと上顎歯列下面の角度を含めた相対的な位置関係を示す画像である上部画像のデータである上部画像データ、前記アッパーボウと前記バイトフォークとがまとめて映り込んだものであり、前記アッパーボウと前記バイトフォークとの角度を含めた相対的な位置関係を示す画像である相対位置画像のデータである相対位置画像データ、及び上顎歯列と下顎歯列の噛合わせの状態を示す画像である咬合画像のデータである咬合画像データを受付ける、受付過程と、
前記受付過程で受付けた上顎歯列画像データから上顎歯列の３次元モデルである上顎歯列モデルのデータである上顎歯列モデルデータを生成するとともに、前記受付過程で受付けた下顎歯列画像データから下顎歯列の３次元モデルである下顎歯列モデルのデータである下顎歯列モデルデータを生成する、モデル生成過程と、
前記受付過程で受付けた上部画像データ、及び相対位置画像データから、生体の患者における前記基準面に対する角度を含めた上顎歯列の相対的な位置を求めて、仮想の基準面である仮想基準面に対する前記上顎歯列モデルの位置についてのデータである第１位置データを生成するとともに、前記受付過程で受付けた咬合画像データから、上顎歯列に対する角度を含めた下顎歯列の相対的な位置を求めて、前記上顎歯列モデルに対する前記下顎歯列モデルの位置についてのデータである第２位置データを生成する、位置データ生成過程と、
前記モデル生成過程で生成された前記上顎歯列モデルデータ、及び前記下顎歯列モデルデータと、前記位置データ生成過程で生成された前記第１位置データ、及び前記第２位置データとにより、生体における基準面に対する上顎歯列と下顎歯列の相対的な位置関係を、仮想基準面に対する上顎歯列モデルと下顎歯列モデルの位置関係に再現するようにして、前記仮想咬合器データを生成する、連結過程と、
を含む、仮想咬合器データ生成方法。
【請求項８】
患者の頭蓋における所定の基準面との相対的な角度を含めた位置関係を一意に定めた状態で患者の頭蓋に固定することができるアッパーボウと、硬化性の物質を塗布して患者の上顎歯列の下面に対して固定することができるバイトフォークと、を備えたフェイスボウであり、患者に正確に取付けられたものの画像を用いて、仮想の咬合器のデータである仮想咬合器データを生成することができる、仮想咬合器データ生成装置として、コンピュータを機能させるためのコンピュータプログラムであって、
前記コンピュータを、
上顎歯列の画像である上顎歯列画像のデータである上顎歯列画像データ、下顎歯列の画像である下顎歯列画像のデータである下顎歯列画像データ、前記バイトフォークと上顎歯列下面の角度を含めた相対的な位置関係を示す画像である上部画像のデータである上部画像データ、前記アッパーボウと前記バイトフォークとがまとめて映り込んだものであり、前記アッパーボウと前記バイトフォークとの角度を含めた相対的な位置関係を示す画像である相対位置画像のデータである相対位置画像データ、及び上顎歯列と下顎歯列の噛合わせの状態を示す画像である咬合画像のデータである咬合画像データを受付けるための、受付手段と、
前記受付手段から受付けた上顎歯列画像データから上顎歯列の３次元モデルである上顎歯列モデルのデータである上顎歯列モデルデータを生成するとともに、前記受付手段から受付けた下顎歯列画像データから下顎歯列の３次元モデルである下顎歯列モデルのデータである下顎歯列モデルデータを生成する、モデル生成手段と、
前記受付手段から受付けた上部画像データ、及び相対位置画像データから、生体の患者における前記基準面に対する角度を含めた上顎歯列の相対的な位置を求めて、仮想の基準面である仮想基準面に対する前記上顎歯列モデルの位置についてのデータである第１位置データを生成するとともに、前記受付手段から受付けた咬合画像データから、上顎歯列に対する角度を含めた下顎歯列の相対的な位置を求めて、前記上顎歯列モデルに対する前記下顎歯列モデルの位置についてのデータである第２位置データを生成する、位置データ生成手段と、
前記モデル生成手段から、前記上顎歯列モデルデータと、前記下顎歯列モデルデータとを受取るとともに、前記位置データ生成手段から、前記第１位置データと、前記第２位置データとを受取り、生体における基準面に対する上顎歯列と下顎歯列の相対的な位置関係を、前記第１位置データと、前記第２位置データを用いて、仮想基準面に対する上顎歯列モデルと下顎歯列モデルの位置関係に再現するようにして、前記仮想咬合器データを生成する、連結手段と、
して機能させるためのコンピュータプログラム。
【請求項９】
患者の頭蓋における所定の基準面との相対的な角度を含めた位置関係を一意に定めた状態で患者の頭蓋に固定することができるアッパーボウと、硬化性の物質を塗布して患者の上顎歯列の下面に対して固定することができるバイトフォークと、を備えたフェイスボウであって、
前記アッパーボウには、前記アッパーボウとの角度を含めた位置関係が予め定められた関係となるようにされた第１参照体が取付けられているとともに、
前記バイトフォークには、前記バイトフォークとの角度を含めた位置関係が予め定められた関係となるようにされた第２参照体が取付けられており、
前記第１参照体と前記第２参照体がともに映り込むようにして撮影された前記アッパーボウ及び前記バイトフォークの画像に基き、前記第１参照体と前記アッパーボウの相対的な位置関係と、前記第２参照体と前記バイトフォークの相対的な位置関係と、前記第１参照体と前記第２参照体の相対的な位置関係とを用いて、前記アッパーボウの前記バイトフォークに対する角度を含めた相対的な位置関係を求められるようになっている、
フェイスボウ。
【請求項１０】
前記第１参照体と前記第２参照体の少なくとも一方は、前記アッパーボウ又は前記バイトフォークのいずれかと接続された透明体に設けられた文字、記号、又は図形である、
請求項９記載のフェイスボウ。
【請求項１１】
前記透明体は板状である、
請求項１０記載のフェイスボウ。
【請求項１２】
前記第１参照体と前記第２参照体の少なくとも一方は、前記アッパーボウ又は前記バイトフォークのいずれかと接続された球体である、
請求項９記載のフェイスボウ。
【請求項１３】
患者の頭蓋における所定の基準面との相対的な角度を含めた位置関係を一意に定めた状態で患者の頭蓋に固定することができるアッパーボウと、硬化性の物質を塗布して患者の上顎歯列の下面に対して固定することができるバイトフォークと、を備えたフェイスボウに取付けられるものであり、
前記アッパーボウに、前記アッパーボウとの角度を含めた位置関係が予め定められた関係となるようにして取付け可能とされた第１参照体と、
前記バイトフォークに、前記バイトフォークとの角度を含めた位置関係が予め定められた関係となるようにして取付可能とされた第２参照体と、
を含んでおり、
前記第１参照体と前記第２参照体がともに映り込むようにして撮影された前記アッパーボウ及び前記バイトフォークの画像に基き、前記第１参照体と前記アッパーボウの相対的な位置関係と、前記第２参照体と前記バイトフォークの相対的な位置関係と、前記第１参照体と前記第２参照体の相対的な位置関係とを用いて、前記アッパーボウの前記バイトフォークに対する角度を含めた相対的な位置関係を求められるようにするための、
フェイスボウ用アタッチメント。
【請求項１４】
患者の下顎の運動である下顎運動によって変化する、患者の下顎の頭蓋に対する位置を測定するとともに、患者の下顎の頭蓋に対する位置についてのデータである運動データを出力する出力手段を有する下顎運動検出装置と組合せて用いられる、下顎運動記録装置であって、
ある患者の仮想咬合器についてのデータである仮想咬合器データを記録した記録手段と、
前記出力手段から、前記運動データを受付ける第２受付手段と、
リファレンスポジションにおける患者の下顎の位置を特定できる画像であるリファレンス画像のデータを受付ける第３受付手段と、
前記第３受付手段で受付けたリファレンス画像データに基づくリファレンス画像が撮像された時点における患者の下顎の位置を、前記運動データから特定するリファレンスポジション特定手段と、
前記第２受付手段で受付けた運動データと、前記記録手段から読出した仮想咬合器データとに基づいて、前記仮想咬合器データにより特定される仮想咬合器の３次元画像上に、前記リファレンスポジション特定手段で特定された下顎の位置をリファレンスポジションとして用いた、患者の下顎運動を示すマークを書込む描画手段と、
を備えている下顎運動記録装置。
【請求項１５】
患者の下顎の運動である下顎運動によって変化する、患者の下顎の頭蓋に対する位置を測定するとともに、患者の下顎の頭蓋に対する位置についてのデータである運動データを出力する出力手段を有する下顎運動検出装置と組合せて用いられる、コンピュータを含む下顎運動記録装置で実行される下顎運動記録方法であって、
前記コンピュータが実行する、
ある患者の仮想咬合器についてのデータである仮想咬合器データを記録する記録処理と、
前記出力手段から、前記運動データを受付ける第２受付処理と、
リファレンスポジションにおける患者の下顎の位置を特定できる画像であるリファレンス画像のデータを受付ける第３受付処理と、
前記第３受付処理で受付けたリファレンス画像データに基づくリファレンス画像が撮像された時点における患者の下顎の位置を、前記運動データから特定するリファレンスポジション特定処理と、
前記第２受付処理で受付けた運動データと、前記記録処理で記録された後に読み出された仮想咬合器データとに基づいて、前記仮想咬合器データにより特定される仮想咬合器の３次元画像上に、前記リファレンスポジション特定処理で特定された下顎の位置をリファレンスポジションとして用いた、患者の下顎運動を示すマークを書込む描画処理と、
を含む下顎運動記録方法。
【請求項１６】
患者の下顎の運動である下顎運動によって変化する、患者の下顎の頭蓋に対する位置を測定するとともに、患者の下顎の頭蓋に対する位置についてのデータである運動データを出力する出力手段を有する下顎運動検出装置と組合せて用いられる、下顎運動記録装置としてコンピュータを機能させるためのコンピュータプログラムであって、
前記コンピュータを、
ある患者の仮想咬合器についてのデータである仮想咬合器データを記録した記録手段、
前記出力手段から、前記運動データを受付ける第２受付手段、
リファレンスポジションにおける患者の下顎の位置を特定できる画像であるリファレンス画像のデータを受付ける第３受付手段、
前記第３受付手段で受付けたリファレンス画像データに基づくリファレンス画像が撮像された時点における患者の下顎の位置を、前記運動データから特定するリファレンスポジション特定手段、
前記第２受付手段で受付けた運動データと、前記記録手段から読出した仮想咬合器データとに基づいて、前記仮想咬合器データにより特定される仮想咬合器の３次元画像上に、前記リファレンスポジション特定手段で特定された下顎の位置をリファレンスポジションとして用いた、患者の下顎運動を示すマークを書込む描画手段、
として機能させるためのコンピュータプログラム。
【請求項１７】
患者の下顎の運動である下顎運動によって変化する、患者の下顎の頭蓋に対する位置を測定するとともに、患者の下顎の頭蓋に対する位置についてのデータである運動データを出力する出力手段を有する下顎運動検出装置と組合せて用いられる、下顎運動記録装置であって、
ある患者の仮想咬合器についてのデータである仮想咬合器データを記録した記録手段と、
前記出力手段から、前記運動データを受付ける第２受付手段と、
リファレンスポジションにおける患者の下顎の位置を特定できる画像であるリファレンス画像のデータを受付ける第３受付手段と、
前記第３受付手段で受付けたリファレンス画像データに基づくリファレンス画像が撮像された時点における患者の下顎の位置を、前記運動データから特定するリファレンスポジション特定手段と、
前記第２受付手段で受付けた運動データと、前記記録手段から読出した仮想咬合器データとに基づいて、前記仮想咬合器データにより特定される仮想咬合器の３次元画像における下顎を、前記リファレンスポジション特定手段で特定された下顎の位置をリファレンスポジションとして用いて、患者の下顎運動を再現するようにアニメーションにより下顎運動させる動画処理手段と、
を備えている下顎運動記録装置。
【請求項１８】
患者の下顎の運動である下顎運動によって変化する、患者の下顎の頭蓋に対する位置を測定するとともに、患者の下顎の頭蓋に対する位置についてのデータである運動データを出力する出力手段を有する下顎運動検出装置と組合せて用いられる、コンピュータを含む下顎運動記録装置で実行される下顎運動記録方法であって、
前記コンピュータが実行する、
ある患者の仮想咬合器についてのデータである仮想咬合器データを記録する記録処理と、
前記出力手段から、前記運動データを受付ける第２受付処理と、
リファレンスポジションにおける患者の下顎の位置を特定できる画像であるリファレンス画像のデータを受付ける第３受付処理と、
前記第３受付処理で受付けたリファレンス画像データに基づくリファレンス画像が撮像された時点における患者の下顎の位置を、前記運動データから特定するリファレンスポジション特定処理と、
前記第２受付処理で受付けた運動データと、前記記録処理で記録された後に読み出された仮想咬合器データとに基づいて、前記仮想咬合器データにより特定される仮想咬合器の３次元画像における下顎を、前記リファレンスポジション特定処理で特定された下顎の位置をリファレンスポジションとして用いて、患者の下顎運動を再現するようにアニメーションにより下顎運動させる動画処理と、
を含む下顎運動記録方法。
【請求項１９】
患者の下顎の運動である下顎運動によって変化する、患者の下顎の頭蓋に対する位置を測定するとともに、患者の下顎の頭蓋に対する位置についてのデータである運動データを出力する出力手段を有する下顎運動検出装置と組合せて用いられる、下顎運動記録装置としてコンピュータを機能させるためのコンピュータプログラムであって、
前記コンピュータを、
ある患者の仮想咬合器についてのデータである仮想咬合器データを記録した記録手段と、
前記出力手段から、前記運動データを受付ける第２受付手段と、
リファレンスポジションにおける患者の下顎の位置を特定できる画像であるリファレンス画像のデータを受付ける第３受付手段と、
前記第３受付手段で受付けたリファレンス画像データに基づくリファレンス画像が撮像された時点における患者の下顎の位置を、前記運動データから特定するリファレンスポジション特定手段と、
前記第２受付手段で受付けた運動データと、前記記録手段から読出した仮想咬合器データとに基づいて、前記仮想咬合器データにより特定される仮想咬合器の３次元画像における下顎を、前記リファレンスポジション特定手段で特定された下顎の位置をリファレンスポジションとして用いて、患者の下顎運動を再現するようにアニメーションにより下顎運動させる動画処理手段、
として機能させるためのコンピュータプログラム。
【発明の詳細な説明】
【技術分野】
【０００１】
本発明は、歯科の医療分野で用いるコンピュータに関し、特にはフェイスボウと組合せて用いられるコンピュータに関する。
【背景技術】
【０００２】
歯科の分野でフェイスボウが用いられている。例えば、歯科補綴治療、顎関節症咬合治療、咬合診断を行う場合に、フェイスボウが用いられる。最も一般的なフェイスボウは、例えば、頭蓋の解剖学的基準面（例えば、頭蓋右側の眼窩下面と左右外耳道上縁とを結んだフランクフルト平面、以下単に「基準面」という場合がある。）と、上顎歯列或は上顎骨との相対的な角度を含めた位置関係を測定し記録するためのものである。
【０００３】
フェイスボウは、おおまかに、患者の頭蓋の中に想定される解剖学的基準面との関係を一意に決定して患者の顔に固定できるようになっているアッパーボウと、患者の上顎歯列に対してその固定の状態を記録しつつ固定できるようになっているバイトフォークと、アッパーボウと、バイトフォークとを、相対的な位置と角度を任意に位置決めして、その位置と角度を記録しつつ固定することができる接続手段と、を備えて構成される。
【０００４】
フェイスボウには幾つかの種類がある。
ある種のフェイスボウのアッパーボウは、例えば、メガネ形状をしている。アッパーボウは、使用時に顔の前に位置するメガネであればフレームに相当する本体部と、本体部の両側に取付けられたメガネであればテンプルに当たるテンプル部とを備えている。テンプル部の先端は、内側に曲折されるなどしており、患者の外耳道に挿入できるようになっている。本体部のアッパーボウの使用時における顔に近い側には患者の任意の鼻根凹部に固定することのできる維持装置が取付けられている。テンプル部の先端の位置は、基準面に対して、例えば前後左右に移動できるようになっている。また、上述の鼻根凹部に固定する維持装置も、上述の基準面に対して例えば前後、上下に移動できるようになっている。
フェイスボウの使用時においては、テンプル部の両先端が患者の両外耳道に、維持装置を鼻根凹部に固定する。この状態で、アッパーボウの本体部が予め定められた姿勢（例えば、頭蓋の基準面に対して平行）になるように調節する。アッパーボウはテンプル部の両先端と棒の先端という３つの部位により、頭蓋に対して、もっと言えば解剖学的基準面に対して一意に位置決めされる。
バイトフォークは、歯列咬合面に相当するＵ字型をした板状体であり、その上面に、モデリングコンパウンドやバイトワックスなどの例えば硬化性の物質である印記用ペーストを塗布するなどして、上顎歯列の下面に固定される。印記用ペーストに印記された上顎歯列の下面の形状により、バイトフォークと上顎歯列の関係を記録できる。
接続手段は、例えば複数の球体関節により接続された棒状体によって構成されており、アッパーボウと、バイトフォークとを、相対的な位置と角度を任意に位置決めして固定することができるようになっている。球体関節と棒状体には所定の目盛を付すなどされており、ある姿勢を取った接続手段の姿勢（例えば、ある球体関節とそれに接続された棒状体の位置や角度）を記録することができるようになっている。
フェイスボウのアッパーボウは上述のように、基準面に対して一意に位置決めすることができる。接続手段の一端に接続されたバイトフォークは、その他端にアッパーボウが接続された接続手段が、その姿勢を記録することができるようになっているので、間接的に、アッパーボウとの相対的な位置関係を記録できるようにされており、結果的に、基準面との相対的な位置関係を記録できるようにされている。そして、患者の上顎歯列の下面のバイトフォークに対する相対的な位置と角度は、印記用ペーストを介して記録できるようになっており、且つバイトフォークと基準面との相対的な位置関係は上述の如く記録できるようになっているので、結果として、基準面と患者の上顎歯列の位置と角度は、記録できることになる。
フェイスボウは、このようにして、個々の患者にユニークな、基準面と上顎歯列の相対的な位置関係を、角度を含めて記録する。
【０００５】
フェイスボウで測定された基準面と上顎歯列との相対的な位置関係についての記録は、一般に、咬合器にて利用される。咬合器では後述のように、患者の上顎歯列の模型と、下顎歯列の模型を組合せられるが、そこに患者の生体における上顎歯列と、下顎歯列の噛合わせを再現させるために、上述の記録が使われるのである。このように、生体の患者の噛合わせを咬合器に移す作業を一般に、フェイスボウトランスファーと称する。
咬合器は、頭蓋における上顎に相当する部材と下顎に相当する部材を備えている。頭蓋における上顎に相当する部材と下顎に相当する部材は、生体における上顎と下顎と同様に開閉できるように構成されており、且つ上顎に相当する部材に、例えば患者の歯の型取りにより正確に再現された患者の上顎歯列の模型を、下顎に相当する部材に、患者の下顎歯列の模型を取付けられるようになっている。
この状態で、フェイスボウで計測された上述の基準面と上顎歯列の下面の位置関係を咬合器上で再現することにより、咬合器に、患者の生体における基準面と上顎歯列の相対的な位置関係を再現することができるようになっている。
なお、患者の上顎歯列の下面と下顎歯列の上面の相対的な位置関係は、例えばマウスピースやコンパウンドを用いる周知の方法で患者の噛合わせの記録を行うことにより再現できる。咬合器の上顎に相当する部材に取付けた患者の上顎歯列の模型の下面に対して、上述の記録を用いて、咬合器の下顎に相当する部材に取付けた患者の下顎歯列の模型の上面の位置決めを行えば、咬合器に取付けられた上顎歯列の模型と下顎歯列の模型と基準面の相対的な位置関係は、生体の患者における上顎歯列の下面と、下顎歯列の上面と基準面の相対的な位置関係を反映させたものとなる。
【０００６】
上述の如く、咬合器を用いれば、患者の上顎歯列と、下顎歯列の基準面に対する相対的な位置関係を、正確に、咬合器上に再現できる。歯科医は、咬合器に取付けられた上顎歯列の模型と、下顎歯列の模型を用いて、咬合診断を行い、或いは歯科補綴治療、顎関節症咬合治療を行うに先立って必要なシミュレーション（義歯の噛合わせのテスト等）を行う等することができるようになる。
【０００７】
以上に説明したように、フェイスボウで測定された上顎歯列の下面と、基準面との相対的な関係は一般に、咬合器に取付けられる上顎歯列と基準面との関係が、生体の患者における基準面と上顎歯列との関係を正確に再現できるようにするために用いられていた。言い換えれば、フェイスボウは、もっぱら咬合器を正確に使いこなすための咬合器に従属的な装置という位置づけであり、治療や診断のために咬合器は不可欠であるというのが古くからの歯科業界における常識であった。
しかしながら近年のコンピュータ技術、特には画像処理技術の進化により、コンピュータ上に仮想咬合器（言い換えれば、それは、噛合わせも含めた患者の上顎歯列と下顎歯列の３次元画像である。）を再現する試みがなされている。仮想咬合器を用いれば、患者の歯列の模型を作らなくても良いので、診断と治療のスピードを増すことができるし、また、ある患者の診断や治療に用いられた仮想咬合器のデータ（電子データ）を例えば歯科医同士で持ち合うこともできるので、便利である。
【発明の概要】
【発明が解決しようとする課題】
【０００８】
しかしながら、コンピュータ上で仮想咬合器を用いる技術はそれほど普及していない。その理由は仮想咬合器のデータをコンピュータ上に作成する適当な技術が存在しないという点にある。
仮想咬合器のデータを作成するための方法として、例えば、以下の２つの方法が知られている。
まず第１の方法であるが、第１の方法では、従来と同様、一旦咬合器を作成し、咬合器から測定された数値を、コンピュータに入力することによって、仮想咬合器のデータが作られる。上述の数値は、例えば、上顎歯列の模型が取付けられる咬合器の上顎に相当する部材が、所定の基準となる点よりどれだけ前後、或いは上下に移動しているか、或いは上顎歯列の咬合面がどれだけ傾いているか、ということを示す数値である。
次に第２の方法であるが、この場合には咬合器を用いない。その代わりに、例えば、ＣＴ（Ｃｏｍｐｕｔｅｄ Ｔｏｍｏｇｒａｐｈｙ：コンピュータ断層撮影）撮像装置などで撮影した患者の頭部の３次元画像に、それとは別に３次元撮影した患者の上顎歯列と、下顎歯列の画像を合成することにより、仮想咬合器のデータを作るというものである。
【０００９】
しかしながら、上述の２つの方法をもってしても仮想咬合器のデータを用いての診断、治療が普及しない理由がある。
まず、第１の方法では、上顎歯列と下顎歯列のそれぞれの模型を作ることが必要であり、またそれらを用いて実際の咬合器を作ることが必要であるから、診断、治療のスピードを増すことができない。それどころか実際に咬合器を作るのであれば、仮想咬合器のデータを作ることは単に手間を増やすだけであるとの印象を歯科医に与えやすいから、歯科医に仮想咬合器のデータを利用することに対するモチベーションを与えにくい。
第２の方法では実際に咬合器を作ることはしないが、その代わりにＣＴ撮像装置の如き患者の頭部の３次元撮影を行える装置が必要となる。そのような３次元撮影を行える装置は一般に非常に高価であり、歯科医院での普及率が高くない。したがって、そのような３次元撮影を行える装置の存在を前提とする第２の方法は、その普及が難しい。また、患者の頭部の３次元撮影は患者に放射線の被曝を強いることが殆どなので、患者のためにも好ましくない。
【００１０】
本願発明は、コンピュータ上に生体と仮想咬合器のデータを作成するための、実際に咬合器を作成することが不要な、安価で普及させやすい技術を提供することを、その課題とする。
【課題を解決するための手段】
【００１１】
上述の課題を解決するため、本願発明者は以下の発明を提案する。
本願発明は、患者の頭蓋における所定の基準面との相対的な角度を含めた位置関係を一意に定めた状態で患者の頭蓋に固定することができるアッパーボウと、硬化性の物質を塗布して患者の上顎歯列の下面に対して固定することができるバイトフォークと、を備えたフェイスボウであり、患者に正確に取付けられたものの画像を用いて、仮想の咬合器のデータである仮想咬合器データを生成することができる、仮想咬合器データ生成装置である。
本願発明の仮想咬合器データ生成装置は、上顎歯列の画像である上顎歯列画像のデータである上顎歯列画像データ、下顎歯列の画像である下顎歯列画像のデータである下顎歯列画像データ、前記バイトフォークと上顎歯列下面の角度を含めた相対的な位置関係を示す画像である上部画像のデータである上部画像データ、前記アッパーボウと前記バイトフォークとがまとめて映り込んだものであり、前記アッパーボウと前記バイトフォークとの角度を含めた相対的な位置関係を示す画像である相対位置画像のデータである相対位置画像データ、及び上顎歯列と下顎歯列の噛合わせの状態を示す画像である咬合画像のデータである咬合画像データを受付けるための、受付手段と、前記受付手段から受付けた上顎歯列画像データから上顎歯列の３次元モデルである上顎歯列モデルのデータである上顎歯列モデルデータを生成するとともに、前記受付手段から受付けた下顎歯列画像データから下顎歯列の３次元モデルである下顎歯列モデルのデータである下顎歯列モデルデータを生成する、モデル生成手段と、前記受付手段から受付けた上部画像データ、及び相対位置画像データから、生体の患者における前記基準面に対する角度を含めた上顎歯列の相対的な位置を求めて、仮想の基準面である仮想基準面に対する前記上顎歯列モデルの位置についてのデータである第１位置データを生成するとともに、前記受付手段から受付けた咬合画像データから、上顎歯列に対する角度を含めた下顎歯列の相対的な位置を求めて、前記上顎歯列モデルに対する前記下顎歯列モデルの位置についてのデータである第２位置データを生成する、位置データ生成手段と、前記モデル生成手段から、前記上顎歯列モデルデータと、前記下顎歯列モデルデータとを受取るとともに、前記位置データ生成手段から、前記第１位置データと、前記第２位置データとを受取り、生体における基準面に対する上顎歯列と下顎歯列の相対的な位置関係を、前記第１位置データと、前記第２位置データを用いて、仮想基準面に対する上顎歯列モデルと下顎歯列モデルの位置関係に再現するようにして、前記仮想咬合器データを生成する、連結手段と、を備えている。
【００１２】
この仮想咬合器データ生成装置は、受付手段から入力された上顎歯列の画像である上顎歯列画像のデータである上顎歯列画像データと、下顎歯列の画像である下顎歯列画像のデータである下顎歯列画像データとを用いて、仮想咬合器のデータである仮想咬合器データを生成する。具体的には、本願発明の仮想咬合器データ生成装置は、受付手段から受付けた上顎歯列画像データから上顎歯列の３次元モデルである上顎歯列モデルのデータである上顎歯列モデルデータを生成するとともに、受付手段から受付けた下顎歯列画像データから下顎歯列の３次元モデルである下顎歯列モデルのデータである下顎歯列モデルデータを生成する、モデル生成手段を備えている。この仮想咬合器データ生成装置では、モデル生成手段が生成した上顎歯列モデルデータに基づく上顎歯列モデルと、下顎歯列モデルデータに基づく下顎歯列モデルとを、仮想咬合器における、一般的な咬合器における上顎歯列の模型と下顎歯列の模型の代わりになるものとして用いる。それにより、この仮想咬合器データ生成装置を用いれば、上顎歯列の模型も、下顎歯列の模型も必要ない。
ここで、上顎歯列モデルと下顎歯列モデルとを用いて仮想咬合器データを生成するには、上顎歯列モデルと下顎歯列モデルとが角度を含めてどのような位置関係となるかを、患者の生体における上顎歯列と下顎歯列の角度を含む位置関係を正確に再現するようにして決定しなければならず、言い換えれば、上顎歯列モデルと下顎歯列モデルとを患者の上顎歯列と下顎歯列に対応するようにして、位置合わせしなければならない。
この仮想咬合器データ生成装置では、上顎歯列モデルと下顎歯列モデルの上述の位置合わせを、前記バイトフォークと上顎歯列下面の角度を含めた相対的な位置関係を示す画像である上部画像のデータである上部画像データと、前記アッパーボウと前記バイトフォークとがまとめて映り込んだものであり、前記アッパーボウと前記バイトフォークとの角度を含めた相対的な位置関係を示す画像である相対位置画像のデータである相対位置画像データと、上顎歯列と下顎歯列の噛合わせの状態を示す画像である咬合画像のデータである咬合画像データとを用いて行う。それを可能とするために、この仮想咬合器データ生成装置の受付手段は、上顎歯列画像データと下顎歯列画像データとの入力に加え、それらの位置合わせに用いられる上述の３種類のデータをも受付けられるものとされている。なお、本願発明の仮想咬合器データ生成装置で実行される処理は、概ねアッパーボウから現実の咬合器にフェイスボウトランスファーを行うときの手順に倣っているが、相対位置画像データに基づく画像処理によって、アッパーボウとバイトフォークの相対的な位置関係を特定してしまうという点は、従来のフェイスボウトランスファーの考え方にはまったくない。しかも、上述の如き相対位置画像を用いてアッパーボウとバイトフォークの相対的な位置関係を特定することにより、従来は必要であったアッパーボウとバイトフォークとを接続する接続手段がいらなくなる。かかる手法により、本願発明は、ＣＴ撮像装置のような高価な装置がなくとも、歯科医師に過大な労力を使わせることなく、簡単に仮想咬合器データを生成できるものとなる。
本願発明の仮想咬合器データ生成装置において、上述の位置合わせに用いられるデータを生成するのが、位置データ生成手段である。位置データ生成手段は、上部画像データ、及び相対位置画像データから、生体の患者における前記基準面に対する角度を含めた上顎歯列の相対的な位置を求めて、仮想の基準面である仮想基準面に対する前記上顎歯列モデルの位置についてのデータである第１位置データを生成する。第１位置データは、実際の咬合器では、基準面に対して上顎歯列の模型の位置を決定するための情報に相当する。位置データ生成手段は、また、咬合画像データから、上顎歯列に対する角度を含めた下顎歯列の相対的な位置を求めて、前記上顎歯列モデルに対する前記下顎歯列モデルの位置についてのデータである第２位置データを生成する。第２位置データは、実際の咬合器では、上顎歯列の下面に対して下顎歯列の上面の位置を決定するための情報に相当する。
そして、本願発明の仮想咬合器データ生成装置では、連結手段が、第１位置データと第２位置データを用いて、上顎歯列モデルと、下顎歯列モデルの位置合わせを行うことにより、仮想咬合器データを生成する。
本願発明の仮想咬合器データ生成装置は以上のようなものなので、手軽に、安価に、仮想咬合器データを生成することができるという効果を得ることができる。つまり、本願の仮想咬合器データ生成装置によれば、仮想咬合器データを生成するに当たり、既に述べたように上顎歯列の模型と下顎歯列の模型の作成の必要がなく、また、頭部の３次元撮影を行うための高価な装置の導入を歯科医に強いることもないし、頭部の３次元撮影による被曝を患者に強いることもない。
なお、本願における上顎歯列画像、下顎歯列画像、上部画像、咬合画像、相対位置画像はすべて、２次元画像であっても、３次元画像であっても構わない。以下に説明する下部画像も同様に、２次元画像であっても、３次元画像であっても構わない。
【００１３】
本願の仮想咬合器データ生成装置で用いられる前記咬合画像は、上述したように、患者の上顎歯列と下顎歯列の噛合わせの状態を示す画像であるが、それは例えば、患者の上顎歯列と下顎歯列の噛合わせ部分を撮像した画像であっても構わないし、患者の上顎歯列と下顎歯列との間で咬合された、上顎歯列と下顎歯列の形状を印記できる印記用ペーストの画像であっても構わない。
いずれの画像を用いても、患者の上顎歯列と下顎歯列の噛合わせの状態を再現可能に記録することができる。
例えば、上顎歯列と下顎歯列の形状を印記できる印記用ペーストの画像を口腔外で撮像する場合は、汎用されている歯科技工用の３次元画像撮像装置を用いて、３次元画像である咬合画像を撮像することができる。
【００１４】
相対位置画像は上述のように、アッパーボウとバイトフォークとがまとめて映り込んだものであり、アッパーボウとバイトフォークとの角度を含めた相対的な位置関係を示す画像であれば、その詳細を問わない。
前記相対位置画像は、前記アッパーボウとの角度を含めた位置関係が予め定められた関係となるようにして前記アッパーボウに取付けられた第１参照体と、前記バイトフォークとの角度を含めた位置関係が予め定められた関係となるようにして前記バイトフォークに取付けられた第２参照体とが、前記アッパーボウ及び前記バイトフォークとともに映り込んだ画像であってもよい。第１参照体とアッパーボウの関係が固定であり、第２参照体とバイトフォークの関係が固定であれば、第１参照体と第２参照体の相対的な位置を特定するだけで、簡単に、アッパーボウとバイトフォークの相対的な位置関係を特定できる。そして、第１参照体と第２参照体が存在すれば、アッパーボウとバイトフォークの相対的な位置関係の特定は、簡単な画像処理によってこれを行うことができる。
この場合、前記位置データ生成手段は、前記第１参照体と前記アッパーボウとの予め定められた前記位置関係と、前記第２参照体と前記バイトフォークとの予め定められた前記位置関係とについてのデータを用いて、前記相対位置画像に対して画像処理を行うことにより、前記アッパーボウと、前記バイトフォークとの角度を含めた位置関係を検出するようになっていても良い。
前記相対位置画像は、複数の方向から撮像された前記第１参照体及び前記第２参照体が映り込んだ少なくとも２つの２次元画像であり、前記相対位置画像データは少なくとも２つの前記相対位置画像についてのデータであってもよい。これによれば、普通のカメラで撮像できる２次元画像によって相対位置画像を撮像することができる。
前記相対位置画像は、前記第１参照体及び前記第２参照体が映り込んだ少なくとも１つの３次元画像であり、前記相対位置画像データは少なくとも１つの前記相対位置画像についてのデータであってもよい。これによれば、３次元画像を撮像するためのカメラが必要ではあるものの、画像の枚数を減らすことができる。
【００１５】
本願発明者は、以上の仮想咬合器データ生成装置と同様の効果を得られる以下の方法をも提供する。
その方法は、患者の頭蓋における所定の基準面との相対的な角度を含めた位置関係を一意に定めた状態で患者の頭蓋に固定することができるアッパーボウと、硬化性の物質を塗布して患者の上顎歯列の下面に対して固定することができるバイトフォークと、を備えたフェイスボウであり、患者に正確に取付けられたものの画像を用いて、仮想の咬合器のデータである仮想咬合器データを生成することができる、コンピュータを有する仮想咬合器データ生成装置で実行される仮想咬合器データ生成方法である。
そしてこの方法は、前記コンピュータが実行する、上顎歯列の画像である上顎歯列画像のデータである上顎歯列画像データ、下顎歯列の画像である下顎歯列画像のデータである下顎歯列画像データ、前記バイトフォークと上顎歯列下面の角度を含めた相対的な位置関係を示す画像である上部画像のデータである上部画像データ、前記アッパーボウと前記バイトフォークとがまとめて映り込んだものであり、前記アッパーボウと前記バイトフォークとの角度を含めた相対的な位置関係を示す画像である相対位置画像のデータである相対位置画像データ、及び上顎歯列と下顎歯列の噛合わせの状態を示す画像である咬合画像のデータである咬合画像データを受付ける、受付過程と、前記受付過程で受付けた上顎歯列画像データから上顎歯列の３次元モデルである上顎歯列モデルのデータである上顎歯列モデルデータを生成するとともに、前記受付過程で受付けた下顎歯列画像データから下顎歯列の３次元モデルである下顎歯列モデルのデータである下顎歯列モデルデータを生成する、モデル生成過程と、前記受付過程で受付けた上部画像データ、及び相対位置画像データから、生体の患者における前記基準面に対する角度を含めた上顎歯列の相対的な位置を求めて、仮想の基準面である仮想基準面に対する前記上顎歯列モデルの位置についてのデータである第１位置データを生成するとともに、前記受付過程で受付けた咬合画像データから、上顎歯列に対する角度を含めた下顎歯列の相対的な位置を求めて、前記上顎歯列モデルに対する前記下顎歯列モデルの位置についてのデータである第２位置データを生成する、位置データ生成過程と、前記モデル生成過程で生成された前記上顎歯列モデルデータ、及び前記下顎歯列モデルデータと、前記位置データ生成過程で生成された前記第１位置データ、及び前記第２位置データとにより、生体における基準面に対する上顎歯列と下顎歯列の相対的な位置関係を、仮想基準面に対する上顎歯列モデルと下顎歯列モデルの位置関係に再現するようにして、前記仮想咬合器データを生成する、連結過程と、を含む。
【００１６】
本願発明者は、以上の仮想咬合器データ生成装置と同様の効果を得られる以下のコンピュータプログラムをも提供する。
そのコンピュータプログラムは、患者の頭蓋における所定の基準面との相対的な角度を含めた位置関係を一意に定めた状態で患者の頭蓋に固定することができるアッパーボウと、硬化性の物質を塗布して患者の上顎歯列の下面に対して固定することができるバイトフォークと、を備えたフェイスボウであり、患者に正確に取付けられたものの画像を用いて、仮想の咬合器のデータである仮想咬合器データを生成することができる、仮想咬合器データ生成装置として、コンピュータを機能させるためのコンピュータプログラムである。
そしてこのコンピュータプログラムは、前記コンピュータを、上顎歯列の画像である上顎歯列画像のデータである上顎歯列画像データ、下顎歯列の画像である下顎歯列画像のデータである下顎歯列画像データ、前記バイトフォークと上顎歯列下面の角度を含めた相対的な位置関係を示す画像である上部画像のデータである上部画像データ、前記アッパーボウと前記バイトフォークとがまとめて映り込んだものであり、前記アッパーボウと前記バイトフォークとの角度を含めた相対的な位置関係を示す画像である相対位置画像のデータである相対位置画像データ、及び上顎歯列と下顎歯列の噛合わせの状態を示す画像である咬合画像のデータである咬合画像データを受付けるための、受付手段と、前記受付手段から受付けた上顎歯列画像データから上顎歯列の３次元モデルである上顎歯列モデルのデータである上顎歯列モデルデータを生成するとともに、前記受付手段から受付けた下顎歯列画像データから下顎歯列の３次元モデルである下顎歯列モデルのデータである下顎歯列モデルデータを生成する、モデル生成手段と、前記受付手段から受付けた上部画像データ、及び相対位置画像データから、生体の患者における前記基準面に対する角度を含めた上顎歯列の相対的な位置を求めて、仮想の基準面である仮想基準面に対する前記上顎歯列モデルの位置についてのデータである第１位置データを生成するとともに、前記受付手段から受付けた咬合画像データから、上顎歯列に対する角度を含めた下顎歯列の相対的な位置を求めて、前記上顎歯列モデルに対する前記下顎歯列モデルの位置についてのデータである第２位置データを生成する、位置データ生成手段と、前記モデル生成手段から、前記上顎歯列モデルデータと、前記下顎歯列モデルデータとを受取るとともに、前記位置データ生成手段から、前記第１位置データと、前記第２位置データとを受取り、生体における基準面に対する上顎歯列と下顎歯列の相対的な位置関係を、前記第１位置データと、前記第２位置データを用いて、仮想基準面に対する上顎歯列モデルと下顎歯列モデルの位置関係に再現するようにして、前記仮想咬合器データを生成する、連結手段と、して機能させるためのものである。
【００１７】
本願発明者は、以上で説明した仮想咬合器データ生成装置と組合せて用いることのできる以下のフェイスボウをも本願発明の一態様として提案する。
その一例は、患者の頭蓋における所定の基準面との相対的な角度を含めた位置関係を一意に定めた状態で患者の頭蓋に固定することができるアッパーボウと、硬化性の物質を塗布して患者の上顎歯列の下面に対して固定することができるバイトフォークと、を備えたフェイスボウである。そしてこのフェイスボウの前記アッパーボウには、前記アッパーボウとの角度を含めた位置関係が予め定められた関係となるようにされた第１参照体が取付けられているとともに、前記バイトフォークには、前記バイトフォークとの角度を含めた位置関係が予め定められた関係となるようにされた第２参照体が取付けられており、前記第１参照体と前記第２参照体がともに映り込むようにして撮影された前記アッパーボウ及び前記バイトフォークの画像に基き、前記第１参照体と前記アッパーボウの相対的な位置関係と、前記第２参照体と前記バイトフォークの相対的な位置関係と、前記第１参照体と前記第２参照体の相対的な位置関係とを用いて、前記アッパーボウの前記バイトフォークに対する角度を含めた相対的な位置関係を求められるようになっている。
前記第１参照体と前記第２参照体の少なくとも一方は、前記アッパーボウ又は前記バイトフォークのいずれかと接続された透明体に設けられた文字、記号、又は図形であっても良い。第１参照体と第２参照体とが設けられる物を透明体とすべきなのは、当該物が不透明なときに比べ、当該物が透明体であるのであれば、当該物に隠れて、アッパーボウとバイトフォークが相対位置画像に映り込まなくなるという事態を発生し難いからである。透明体は例えば板状であっても良い。この場合、板状の透明体はすべての部分で厚さが同じであっても良い。厚さが異なる透明体であれば、レンズとして機能することもあり得るので、相対位置画像中の透明体の後ろ側に位置するアッパーボウやバイトフォークの像が歪む可能性があるからである。そのような歪みは、画像処理によってアッパーボウとバイトフォークの相対的な位置を特定することの障害となるため、透明体がレンズとして機能しないようにすることには利益がある。
前記第１参照体と前記第２参照体の少なくとも一方は、前記アッパーボウ又は前記バイトフォークのいずれかと接続された球体であってもよい。これによっても、アッパーボウとバイトフォークの相対的な位置関係を画像処理によって特定することができる。第１参照体とアッパーボウの接続と、第２参照体とバイトフォークの接続は、例えば、所定の長さの棒状体によって行うことができる。
本願発明者はまた、既存のフェイスボウを、仮想咬合器データ生成装置と組合せて用いることのできる上記フェイスボウとして機能させるために好適な以下のアタッチメントも、本願発明の一態様として提案する。
そのアタッチメントは、患者の頭蓋における所定の基準面との相対的な角度を含めた位置関係を一意に定めた状態で患者の頭蓋に固定することができるアッパーボウと、硬化性の物質を塗布して患者の上顎歯列の下面に対して固定することができるバイトフォークと、を備えたフェイスボウに取付けられるものであり、前記アッパーボウに、前記アッパーボウとの角度を含めた位置関係が予め定められた関係となるようにして取付け可能とされた第１参照体と、前記バイトフォークに、前記バイトフォークとの角度を含めた位置関係が予め定められた関係となるようにして取付可能とされた第２参照体と、を含んでおり、前記第１参照体と前記第２参照体がともに映り込むようにして撮影された前記アッパーボウ及び前記バイトフォークの画像に基き、前記第１参照体と前記アッパーボウの相対的な位置関係と、前記第２参照体と前記バイトフォークの相対的な位置関係と、前記第１参照体と前記第２参照体の相対的な位置関係とを用いて、前記アッパーボウの前記バイトフォークに対する角度を含めた相対的な位置関係を求められるようにするための、フェイスボウ用アタッチメントである。
【００１８】
本願発明者はまた、以下のような下顎運動記録装置をも提案する。
その一例は、患者の下顎の運動である下顎運動によって変化する、患者の下顎の頭蓋に対する位置を測定するとともに、患者の下顎の頭蓋に対する位置についてのデータである運動データを出力する出力手段を有する下顎運動検出装置と組合せて用いられる、下顎運動記録装置である。
そしてこの下顎運動記録装置は、ある患者の仮想咬合器についてのデータである仮想咬合器データを記録した記録手段と、前記出力手段から、前記運動データを受付ける第２受付手段と、リファレンスポジションにおける患者の下顎の位置を特定できる画像であるリファレンス画像のデータを受付ける第３受付手段と、前記第３受付手段で受付けたリファレンス画像データに基づくリファレンス画像が撮像された時点における患者の下顎の位置を、前記運動データから特定するリファレンスポジション特定手段と、前記第２受付手段で受付けた運動データと、前記記録手段から読出した仮想咬合器データとに基づいて、前記仮想咬合器データにより特定される仮想咬合器の３次元画像上に、前記リファレンスポジション特定手段で特定された下顎の位置をリファレンスポジションとして用いた、患者の下顎運動を示すマークを書込む描画手段と、を備えている。
下顎は、ヒンジ様の顎関節を中心とした頭蓋に対する回転運動だけでなく、頭蓋に対して、前後、左右に動くため、患者の噛合わせをより精度よく再現するには、下顎運動を記録することが好ましい。そのような点から、患者の下顎運動を記録する試みがなされている。そしてそのために、患者の下顎の運動である下顎運動によって変化する、患者の下顎の頭蓋に対する位置を測定するとともに、患者の下顎の頭蓋に対する位置についてのデータである運動データを出力する出力手段を有する下顎運動検出装置と組合せて用いられる、下顎運動記録装置が用いられている。もっとも汎用的な下顎運動記録装置は、患者の頭蓋に想定される基準面に対して一意に固定されるフラッグと、患者の下顎歯列に対して固定されるアンダーボウに設けられたスタイラスとを用いて、下顎の動きに従って動くスタイラスとフラッグの相対的な位置関係から、下顎の頭蓋に対する運動を検出するようになっている。
しかしながら、下顎の頭蓋に対する運動である下顎運動を、例えば、フラッグとスタイラスとを用いて検出し、そのデータを記録したとしても、それを実際の咬合器上で再現することは大変難しい。下顎運動を再現するための道具として、一般的には、左右顎関節による下顎運動の軌跡を、左右それぞれの下顎頭中心位から約１２ミリ前方位までの角度と、その軌跡の曲線を任意の複数種類のバリエーションで設定した半調節性咬合器が用いられているが、上述の曲線は多数の人間から算出した平均値でしかないので、それにより再現される下顎運動は各患者にユニークなそれを、正確に写しとったものとは言い難い。また同様にコンピュータ上の仮想咬合器であっても、生体の下顎運動を再現するための適当な手法も存在しない。
本願の下顎運動記録装置は、第２受付手段で受付けた運動データと、記録手段から読出した仮想咬合器データとに基づいて、仮想咬合器データにより特定される仮想咬合器の３次元画像上に、患者の下顎運動を示すマークを書込む描画手段を備えている。かかる描画手段が描画を行った仮想咬合器の３次元画像を、例えば下顎運動記録装置に接続されたディスプレイに表示させることによって、それを見た歯科医師は、下顎運動検出装置が検出した患者の下顎運動を、直感的に、正確に把握できるようになる。もっとも、上述のマークの位置が正確でないと、歯科医師の把握した患者の下顎運動が正確であることが保証されない。それを、この下顎運動記録装置では、リファレンスポジションにおける患者の下顎の位置を特定できる画像であるリファレンス画像のデータを受付ける第３受付手段と、第３受付手段で受付けたリファレンス画像データに基づくリファレンス画像が撮像された時点における患者の下顎の位置を、運動データから特定するリファレンスポジション特定手段と、により担保している。ある瞬間におけるリファレンス画像により特定される下顎の位置を、仮想咬合器における下顎歯列のリファレンスポジション（初期位置、或いは基準位置）として用いることで、時間的に連続して入力される運動データにより仮想咬合器の画像に順次付されていくマークの位置の調整を行うことができる。リファレンス画像は、例えば、患者の頭部或いは基準面に対する下顎（或いは下顎歯列）の相対的な位置を把握できる画像であれば良く、例えば、アッパーボウとローワーボウの相対的な位置関係を特定できるような画像、がその一例となる。
この下顎運動記録装置と同様の効果を、例えば以下の方法によって得ることもできる。
その方法は、患者の下顎の運動である下顎運動によって変化する、患者の下顎の頭蓋に対する位置を測定するとともに、患者の下顎の頭蓋に対する位置についてのデータである運動データを出力する出力手段を有する下顎運動検出装置と組合せて用いられる、コンピュータを含む下顎運動記録装置で実行される下顎運動記録方法である。
そしてこの方法は、前記コンピュータが実行する、ある患者の仮想咬合器についてのデータである仮想咬合器データを記録する記録処理と、前記出力手段から、前記運動データを受付ける第２受付処理と、リファレンスポジションにおける患者の下顎の位置を特定できる画像であるリファレンス画像のデータを受付ける第３受付処理と、前記第３受付処理で受付けたリファレンス画像データに基づくリファレンス画像が撮像された時点における患者の下顎の位置を、前記運動データから特定するリファレンスポジション特定処理と、前記第２受付処理で受付けた運動データと、前記記録処理で記録された後に読み出された仮想咬合器データとに基づいて、前記仮想咬合器データにより特定される仮想咬合器の３次元画像上に、前記リファレンスポジション特定処理で特定された下顎の位置をリファレンスポジションとして用いた、患者の下顎運動を示すマークを書込む描画処理と、を含む。
上述の下顎運動記録装置と同様の効果を、例えば以下のコンピュータプログラムによって得ることもできる。
そのコンピュータプログラムは、患者の下顎の運動である下顎運動によって変化する、患者の下顎の頭蓋に対する位置を測定するとともに、患者の下顎の頭蓋に対する位置についてのデータである運動データを出力する出力手段を有する下顎運動検出装置と組合せて用いられる、下顎運動記録装置としてコンピュータを機能させるためのコンピュータプログラムである。
そしてそのコンピュータプログラムは、前記コンピュータを、ある患者の仮想咬合器についてのデータである仮想咬合器データを記録した記録手段、前記出力手段から、前記運動データを受付ける第２受付手段、リファレンスポジションにおける患者の下顎の位置を特定できる画像であるリファレンス画像のデータを受付ける第３受付手段、前記第３受付手段で受付けたリファレンス画像データに基づくリファレンス画像が撮像された時点における患者の下顎の位置を、前記運動データから特定するリファレンスポジション特定手段、前記第２受付手段で受付けた運動データと、前記記録手段から読出した仮想咬合器データとに基づいて、前記仮想咬合器データにより特定される仮想咬合器の３次元画像上に、前記リファレンスポジション特定手段で特定された下顎の位置をリファレンスポジションとして用いた、患者の下顎運動を示すマークを書込む描画手段、として機能させる。
【００１９】
下顎運動記録装置の他の例として、本願発明者は、以下のような発明を提案する。
この下顎運動記録装置は、患者の下顎の運動である下顎運動によって変化する、患者の下顎の頭蓋に対する位置を測定するとともに、患者の下顎の頭蓋に対する位置についてのデータである運動データを出力する出力手段を有する下顎運動検出装置と組合せて用いられる、下顎運動記録装置である。
そしてこの下顎運動記録装置は、ある患者の仮想咬合器についてのデータである仮想咬合器データを記録した記録手段と、前記出力手段から、前記運動データを受付ける第２受付手段と、リファレンスポジションにおける患者の下顎の位置を特定できる画像であるリファレンス画像のデータを受付ける第３受付手段と、前記第３受付手段で受付けたリファレンス画像データに基づくリファレンス画像が撮像された時点における患者の下顎の位置を、前記運動データから特定するリファレンスポジション特定手段と、前記第２受付手段で受付けた運動データと、前記記録手段から読出した仮想咬合器データとに基づいて、前記仮想咬合器データにより特定される仮想咬合器の３次元画像における下顎を、前記リファレンスポジション特定手段で特定された下顎の位置をリファレンスポジションとして用いて、患者の下顎運動を再現するようにアニメーションにより下顎運動させる動画処理手段と、を備えている。
この下顎運動記録装置は、上述の下顎運動記録装置が仮想咬合器の画像上にマークを書込む描画手段を備えていたのに対し、描画手段に代えて、仮想咬合器の画像において下顎を、アニメーションにより下顎運動させる動画処理手段を備えている。動画処理手段が生成したデータに基づく仮想咬合器のアニメーションによる動画を、例えば下顎運動記録装置と接続されたディスプレイ上に表示させ、歯科医師にそれを見せることにより、歯科医師は、下顎運動検出装置が検出した患者の下顎運動を、直感的に、正確に把握できるようになる。もっとも、アニメーションにより動く仮想咬合器の画像上の下顎の位置が正確でないと、歯科医師の把握した患者の下顎運動が正確であることが保証されない。それを、この下顎運動記録装置では、上述の下顎運動記録装置の場合と同様の方法で、リファレンス画像を用いて保証している。
この下顎運動記録装置と同様の効果を、例えば以下の方法によって得ることもできる。
その方法は、患者の下顎の運動である下顎運動によって変化する、患者の下顎の頭蓋に対する位置を測定するとともに、患者の下顎の頭蓋に対する位置についてのデータである運動データを出力する出力手段を有する下顎運動検出装置と組合せて用いられる、コンピュータを含む下顎運動記録装置で実行される下顎運動記録方法である。
そしてその方法は、前記コンピュータが実行する、ある患者の仮想咬合器についてのデータである仮想咬合器データを記録する記録処理と、前記出力手段から、前記運動データを受付ける第２受付処理と、リファレンスポジションにおける患者の下顎の位置を特定できる画像であるリファレンス画像のデータを受付ける第３受付処理と、前記第３受付処理で受付けたリファレンス画像データに基づくリファレンス画像が撮像された時点における患者の下顎の位置を、前記運動データから特定するリファレンスポジション特定処理と、前記第２受付処理で受付けた運動データと、前記記録処理で記録された後に読み出された仮想咬合器データとに基づいて、前記仮想咬合器データにより特定される仮想咬合器の３次元画像における下顎を、前記リファレンスポジション特定処理で特定された下顎の位置をリファレンスポジションとして用いて、患者の下顎運動を再現するようにアニメーションにより下顎運動させる動画処理と、を含む。
上述の下顎運動記録装置と同様の効果を、例えば以下のコンピュータプログラムによって得ることもできる。
そのコンピュータプログラムは、患者の下顎の運動である下顎運動によって変化する、患者の下顎の頭蓋に対する位置を測定するとともに、患者の下顎の頭蓋に対する位置についてのデータである運動データを出力する出力手段を有する下顎運動検出装置と組合せて用いられる下顎運動記録装置としてコンピュータを機能させるためのコンピュータプログラムである。
そして、そのコンピュータプログラムは、前記コンピュータを、ある患者の仮想咬合器についてのデータである仮想咬合器データを記録した記録手段と、前記出力手段から、前記運動データを受付ける第２受付手段と、リファレンスポジションにおける患者の下顎の位置を特定できる画像であるリファレンス画像のデータを受付ける第３受付手段と、前記第３受付手段で受付けたリファレンス画像データに基づくリファレンス画像が撮像された時点における患者の下顎の位置を、前記運動データから特定するリファレンスポジション特定手段と、前記第２受付手段で受付けた運動データと、前記記録手段から読出した仮想咬合器データとに基づいて、前記仮想咬合器データにより特定される仮想咬合器の３次元画像における下顎を、前記リファレンスポジション特定手段で特定された下顎の位置をリファレンスポジションとして用いて、患者の下顎運動を再現するようにアニメーションにより下顎運動させる動画処理手段、として機能させる。
【図面の簡単な説明】
【００２０】
【図１】一実施形態によるフェイスボウの全体構成を示す斜視図。
【図２】図１に示したフェイスボウに含まれるアンダーボウの構成を示す斜視図。
【図３】図１に示したフェイスボウのアッパーボウとアンダーボウを組み合わせた状態を示す斜視図。
【図４】一実施形態における診断装置の外観を示す斜視図。
【図５】図４に示した診断装置の本体のハードウエア構成図。
【図６】図４に示した診断装置の本体の内部に生成される機能ブロックを示すブロック図。
【図７】リファレンスポジション決定部が行うアッパーボウと下バイトフォークとの位置の特定のための処理の一部を概念的に説明する図。
【図８】リファレンスポジション決定部が行うアッパーボウと下バイトフォークとの位置の特定のための処理の一部を概念的に説明する図。
【発明を実施するための形態】
【００２１】
以下、本発明の好ましい一実施形態を説明する。
まず、この実施形態において使用されるフェイスボウ１００について説明する。
フェイスボウ１００は、仮想咬合器のデータである仮想咬合器データを作成するときに使われる。また、フェイスボウ１００は、仮想咬合器データを利用して患者の下顎運動を記録するときにも使われる。フェイスボウ１００は、これら２つの場合に使われるが、それぞれの場合でその態様が異なる。
【００２２】
まず、仮想咬合器データの作成に用いられる場合におけるフェイスボウ１００について説明を行う。その場合のフェイスボウ１００は、図１の斜視図に示したように構成されている。
【００２３】
この場合のフェイスボウ１００は、フェイスボウトランスファーに用いられる公知のフェイスボウと同様に、アッパーボウ１１０、バイトフォーク１２０を備えている。通常のフェイスボウ１００はアッパーボウ１１０とバイトフォーク１２０とを接続する接続部材を備えているが、この実施形態のフェイスボウ１００は接続部材を備えない。接続部材を備えないという点を除けば、この実施形態のフェイスボウ１００は、基本的には、公知の一般的なもので良いが、後述するようにアッパーボウ１１０には第１参照体が、バイトフォーク１２０には第２参照体がそれぞれ付属される点で、公知のフェイスボウとは異なる。
【００２４】
アッパーボウ１１０は、患者の頭部に対する角度も含めた位置調整が可能となっており、患者の頭部に、患者の頭部に想定される所定の基準面との位置関係を一意に決定した状態で固定可能とされている。
これには限られないが、この実施形態で説明するアッパーボウ１１０は、全体として、メガネ様の構成をしている。アッパーボウ１１０は、メガネのフレーム様の形状をした本体部１１１を備えている。本体部１１１は、レンズは入ってはいないが、メガネのフレームに相当するこれには限らないが円環状とされた左右２つのフレーム部１１１Ａと、両フレーム部１１１Ａを繋ぐブリッジ部１１１Ｂと、両フレーム部１１１Ａの外側から水平に伸びる智１１１Ｃと、を備えて構成されている。
ブリッジ部１１１Ｂには、その内周面にネジ切りのされた図示せぬ孔が穿たれており、その孔には、ネジ１１１Ｂ１を螺合させられるようになっている。
智１１１Ｃには、その長さ方向の略全長にわたる孔である長孔１１１Ｃ１が設けられている。
【００２５】
この実施形態のアッパーボウ１１０では、フレーム部１１１Ａの一方、これには限られないが、左側のフレーム部１１１Ａの下部には、取付部１１１Ｄが取付けられている。取付部１１１Ｄにはそれを上下に貫通するネジ１１１Ｅが取付けられており、ネジ１１１Ｅの下端には、支持ブロック１１２が取付けられている。支持ブロック１１２は、ネジ１１１Ｅを回転させることで、ネジ１１１Ｅを軸として回転できるようになっている。もっともこの回転はある程度大きな力を加えない限り生じないようにされている。
支持ブロック１１２は、位置決め棒１１３を固定するためのものである。支持ブロック１１２には前後方向にわたる孔（図示を省略。）が穿たれている。支持ブロック１１２には、また、それを前後方向に貫く上述の孔に対して垂直なその内周面にネジ切りのされた孔（図示を省略。）が穿たれており、その孔にはネジ１１２Ａが螺合されている。位置決め棒１１３は、フェイスボウ１００の使用時に概ね水平を保つ水平部１１３Ａと、フェイスボウ１００の使用時に概ね垂直を保つ垂直部１１３Ｂとからなる。垂直部１１３Ｂの上端はフェイスボウ１００の使用時において、患者の鼻に対して押し当てられる位置決め用の球体１１３Ｂ１がその上端に取付けられている。位置決め棒１１３は、その水平部１１３Ａを支持ブロック１１２を前後に貫く上述の孔に挿入されている。位置決め棒１１３の水平部１１３Ａは、孔の中を前後に移動できるように、且つその中心を軸として軸周りに回転できるようにされている。水平部１１３Ａは、回転させることにより締められたネジ１１２Ａの先端と当接するようにされている。回転させることによりネジ１１２Ａを締めると、水平部１１３Ａは、支持ブロック１１２を前後方向に貫く上述の孔の内面とネジ１１２Ａとの間で挟持され、任意の前後方向の位置、及び任意のその軸周りの角度を保ったまま、支持ブロック１１２に対して固定できるようになっている。ネジ１１２Ａを緩めれば、当然その固定は解除される。
支持ブロック１１２が取付部１１１Ｄに対して略水平方向で回転可能であることも考慮すれば、位置決め棒１１３の垂直部１１３Ｂは、支持ブロック１１２を中心に水平方向で回転することができ、また支持ブロック１１２に対して前後動することができ、またその軸周りに回転できることになる。
【００２６】
智１１１Ｃには、一般的なメガネのテンプルと同様に、フェイスボウ１００の使用時には患者の両耳にかけられるテンプル１１４が取付けられている。テンプル１１４は、智１１１Ｃ寄りの前テンプル部１１４Ａと、前テンプル部１１４Ａに取付けられた後テンプル部１１４Ｂとからなる。
前テンプル部１１４Ａの前面には、図示を省略のその内周面にネジ切りのされた穴がテンプル１１４の長さ方向に向けて穿たれている。智１１１Ｃに設けられた長孔１１１Ｃ１は、ネジ１１４Ａ１に貫かれており、且つネジ１１４Ａ１の先端は前テンプル部１１４Ａの前面に穿たれた上述の孔に螺合されている。ネジ１１４Ａ１が緩められた状態では、ネジ１１４Ａ１と前テンプル部１１４Ａは（要するに、テンプル１１４は）、長孔１１１Ｃ１に沿って略水平方向に移動できるようになっている。ネジ１１４Ａ１を回転させて締めると、智１１１Ｃは、ネジ１１４Ａ１の前側に設けられた頭部の後面と前テンプル部１１４Ａの前面との間で挟持された状態となる。つまり、テンプル１１４は、智１１１Ｃの長さ方向に沿って移動可能であり、任意の位置で智１１１Ｃに固定することができる。
後テンプル部１１４Ｂは、前テンプル部１１４Ａに対して前後動することができるようになっており、それによりテンプル１１４の全長が変化させられるようになっている。後テンプル部１１４Ｂを前テンプル部１１４Ａに対して前後させられるようにするための機構としてはどのようなものを採用しても構わないが、この実施形態ではいわゆるラック・アンド・ピニオン構造を採用している。図示を省略するが、前テンプル部１１４Ａには前テンプル部１１４Ａの長さ方向に沿うラックが内蔵されており、また、後テンプル部１１４Ｂに取付けられたネジ１１４Ｂ１にはこれも図示を省略するがピニオンが取付けられている。ネジ１１４Ｂ１を回転させることにより、ラックと噛み合ったネジ１１４Ｂ１がラックに対して前後動するので、後テンプル部１１４Ｂが前テンプル部１１４Ａに対して前後動する。
【００２７】
後テンプル部１１４Ｂには、フラッグ１１５が着脱自在として取付けられている。フラッグ１１５は、後述するスタイラスとの協働により、下顎運動を記録する際に用いられる後述のフェイスボウを、本願発明における下顎運動検出装置として機能させるという機能をその主な機能とする。したがって、フラッグ１１５は、フェイスボウ１００が仮想咬合器データの作成に用いられるときには後テンプル部１１４Ｂから外されていてもよい。
フラッグ１１５は面状のセンサ部１１５Ａとそれを囲む枠１１５Ｂとから構成されている。フラッグ１１５は、ネジ１１５Ｃを介して後テンプル部１１４Ｂに対してネジ止めすることにより、後テンプル部１１４Ｂに対して着脱自在に固定できるようになっている。センサ部１１５Ａは、後述するスタイラスの針状部に接触された部位を検出し、その部位についての運動データを略実時間で連続的に出力できるようになっている。フラッグ１１５は、ケーブル１１５Ｄと接続されており、その先端は後述するコンピュータと接続されるようになっている。運動データは、ケーブル１１５Ｄを介してコンピュータに送られるようになっている。
フラッグ１１５は、また、複数の、この実施形態ではこれには限られないが、４つの第３参照部材１１５Ｅが設けられている。４つの第３参照部材１１５Ｅのセンサ部１１５Ａに対する角度を含めた相対的な位置関係は、予め定められたものとなっている。各第３参照部材１１５Ｅは、球状の第３参照体１１５Ｅ１と、その第３参照体１１５Ｅ１を枠１１５Ｂの四隅のいずれかと接続する、これには限られないがこの実施形態では棒状とされた棒状体１１５Ｅ２とを有している。
【００２８】
以上説明したアッパーボウ１１０は一般的なアッパーボウであるが、この実施形態のアッパーボウ１１０には、本願におけるアタッチメントの一部をなす第１参照部材１１６が取付けられている。
第１参照部材１１６は、透明体によって構成された第１本体部材１１６Ａを備えている。第１本体部材１１６Ａは、透明な樹脂又は透明なガラスによって構成されている。第１本体部材１１６Ａは、これには限られないが板状であり、これには限られないがその厚さはそのすべての部分で等しくされている。第１本体部材１１６Ａは、これには限られないが全体としては矩形であり、その下方には、これには限られないがこの実施形態では二等辺三角形状とされた切欠き部１１６Ａ１が形成されている。切欠き部１１６Ａ１は、バイトフォーク１２０を患者が咥えた場合に、バイトフォーク１２０と後述する第２参照部材とを接続する後述する接続部と第１本体部材１１６Ａとが干渉しないようにするためのものである。
第１参照部材１１６には、複数の第１参照体１１６Ｂが設けられている。第１参照体１１６Ｂの数は、この限りではないが、この実施形態では４つである。これには限られないが、第１参照体１１６Ｂは、第１本体部材１１６Ａの四隅に設けられている。第１参照体１１６Ｂは、例えば、文字、記号、図案などとすることができる。この実施形態では、第１参照体１１６Ｂは、円形の図案となっている。
第１参照部材１１６は、もっと言えば、第１参照体１１６Ｂは、アッパーボウ１１０との角度を含めた位置関係が予め定められた特定の関係となるようになっている。この実施形態では、第1本体部材１１６Ａの切欠き部１１６Ａ１の上側には、図示せぬ孔が穿たれており、その孔をアッパーボウ１１０のブリッジ部１１１Ｂに取付けられたネジ１１１Ｂ１に貫通させることにより、アッパーボウ１１０に固定的に取付けられるようになっている。ネジ１１１Ｂ１を締めることにより、ブリッジ部１１１Ｂに近づくネジ１１１Ｂ１の頭部と、ブリッジ部１１１Ｂとの間で、第１本体部材１１６Ａが挟持されることにより、第１参照部材１１６は、アッパーボウ１１０に取付けられるのである。なお、アッパーボウ１１０に対して固定を行うときにおける第１参照部材１１６のネジ１１１Ｂ１に貫かれた上記孔に対する角度を予め定めた角度としておけば（例えば、第１本体部材１１６Ａの上辺と智１１１Ｃの上辺とを平行に保つようにしておけば）、第１参照部材１１６乃至第１参照体１１６Ｂのアッパーボウ１１０に対する角度を含めた位置関係は、常に同じ特定の関係となることになる。
なお、上述のようにして第１参照部材１１６はアッパーボウ１１０に対して取付けられるが、取付けられた第１参照部材１１６の第１本体部材１１６Ａとアッパーボウ１１０の何らかの部品（例えばネジ１１４Ａ１）が干渉するのであれば、その干渉を避けるために、第１本体部材１１６Ａに、切欠き部１１６Ａ１の如き適当な切欠きを追加するなど適宜行えば良い。
【００２９】
バイトフォーク１２０は、フェイスボウ１００の使用時において、患者の上顎歯列の下面に固定されるものである。バイトフォーク１２０は、患者の上顎歯列の下面に固定されるバイトフォーク本体１２１を備えている。バイトフォーク本体１２１は、通常のフェイスボウであれば、アッパーボウ１１０とバイトフォーク１２０との接続をなすための部材である接続部材の下端との固定をなすための、接続部１２２を備えている。
バイトフォーク本体１２１と、接続部１２２とを備えるバイトフォーク１２０はごく一般的なものであるが、この実施形態のバイトフォーク１２０の接続部１２２のバイトフォーク１２１本体と接続された一端側の他端側には、本願におけるアタッチメントの一部をなす第２参照部材１２３が取付けられている。
第２参照部材１２３は、第１参照部材１１６と概ね同様に構成されている。第２参照部材１２３は、透明体によって構成された第２本体部材１２３Ａを備えている。第２本体部材１２３Ａは、透明な樹脂又は透明なガラスによって構成されている。第２本体部材１２３Ａは、これには限られないが板状であり、これには限られないがその厚さはそのすべての部分で等しくされている。第２本体部材１２３Ａは、これには限られないが、全体として矩形である。
第２参照部材１２３には、複数の第２参照体１２３Ｂが設けられている。第２参照体１２３Ｂの数は、この限りではないが、この実施形態では４つである。これには限られないが、第２参照体１２３Ｂは、第２本体部材１２３Ａの四隅に設けられている。
第２参照部材１２３は、もっと言えば、第２参照体１２３Ｂは、バイトフォーク１２０との角度を含めた位置関係が予め定められた特定の関係となるようになっている。接続部１２２のバイトフォーク本体１２１と第２参照部材１２３との固定後の相互の位置関係が常に一定なのであれば、それは達成可能であり、この実施形態ではこれには限られないがそうされている。
バイトフォーク本体１２１と上顎歯列の下面との固定は、公知の方法で、例えば、モデリングコンパウンドをバイトフォーク本体１２１の上面に塗布し、バイトフォーク本体１２１を上顎歯列の下面に押し付けることによって行う。
【００３０】
次いで、下顎運動の記録の際に用いられる場合におけるフェイスボウについて説明を行う。この場合のフェイスボウとしては、例えば、白水貿易株式会社が輸入販売を行っている下顎運動検出装置である「キャディアックス（商標）２（医療機器認証番号 221AGBZX00099000）」を用いることができる。
この場合のフェイスボウは、仮想咬合器データを生成するときに用いられる上述のフェイスボウ１００のアッパーボウ１１０と、以下に説明するアンダーボウ１４０とを用いる（図２）。両者は互いに接続されていない。上述のフェイスボウ１００におけるバイトフォーク１２０は、このフェイスボウには用いられない。
【００３１】
アンダーボウ１４０は、前棒１４１を有する。前棒１４１は棒状体である。
連結部材１４３は、前棒１４１を貫通させる図示を省略の孔を備えている。連結部材１４３にはその内周面にネジ切りのされた孔が穿たれており、その孔にはネジ１４３Ａが螺合されている。ネジ１４３Ａを緩めた状態では連結部材１４３は前棒１４１の長さ方向に沿って移動でき、且つ前棒１４１を軸として回転することができる。他方、ネジ１４３Ａを締めると、ネジ１４３Ａの先端が前棒１４１に固定され、前棒１４１の長さ方向における位置と、前棒１４１に対する角度が固定された状態で維持される。
連結部材１４３は、また、横棒１４２を貫通させるための管１４３Ｂを備えている。横棒１４２は、管１４３Ｂを貫通した状態で、連結部材１４３に取付けられている。連結部材１４３にはまた、その内周面にネジ切りのされた図示せぬ孔が穿たれており、その孔にはネジ１４３Ｃが螺合している。ネジ１４３Ｃを緩めると横棒１４２は管１４３Ｂの長さ方向に移動できるようになるとともに、その軸周りに回転できるようになり、ネジ１４３Ｃを締めると横棒１４２は管１４３Ｂに固定される。
上述のように、連結部材１４３は、前棒１４１の長さ方向における位置と、前棒１４１に対する角度が可変であるので、連結部材１４３から横棒１４２の後端までの長さが可変であることも合わせると、後述する下バイトフォークから見た場合における、横棒１４２の後端の位置は、縦横高さの全てにおいて、自由に位置決めできることになる。
【００３２】
横棒１４２の後端には、スタイラス１４４が取付けられている。
スタイラス１４４は、アッパーボウ１１０に取付けられる上述のフラッグ１１５と接触して、上述した運動データを生成するものである。上述のように、下バイトフォーク１４５から見た場合における、横棒１４２の後端の位置は、縦横高さの全てにおいて、自由に位置決めできる。横棒１４２後端の位置を適当に位置決めすることで、患者が咬合を普通に行っているときに、スタイラス１４４がフラッグ１１５のセンサ部１１５Ａの適当な位置（例えばフラッグ１１５の中心）に位置するように位置決めを行う。
スタイラス１４４には、スタイラス本体１４４Ａと、針状部１４４Ｂとが含まれる。スタイラス本体１４４Ａには、ケーブル１４４Ａ１が接続されている。また、針状部１４４Ｂは、スタイラス本体１４４Ａに内蔵された図示を省略の弾性体から、その先端に向けて適度な弾性力を与えられている。それにより、スタイラス本体１４４Ａから、フラッグ１１５のセンサ部１１５Ａまでの距離が多少変化したとしても、針状部１４４Ｂは一定範囲の適当な圧力でその先端がセンサ部１１５Ａに押し付けられた状態となる。また、スタイラス本体１４４Ａの内部には、スタイラス本体１４４Ａに対する針状部１４４Ｂの相対的な位置を測定することのできる図示を省略のセンサが内蔵されている。このセンサにより、事実上、スタイラス本体１４４Ａから、フラッグ１１５のセンサ部１１５Ａまでの距離が測定される。センサで測定されたその距離に関するデータは、上述のケーブル１４４Ａ１を介して、スタイラス本体１４４Ａから出力されるようになっている。
このデータは、フラッグ１１５からケーブル１１５Ｄを介して出力されるデータと同期されている。この実施形態では、これら２つのデータを合わせたものが、患者の下顎運動を表す本願発明における運動データとなる。フラッグ１１５から出力されるデータが、フラッグ１１５のセンサ部１１５Ａ上の縦横に相当するＸＹ軸に沿う下顎の位置を示し、スタイラス１４４から出力されるデータは、フラッグ１１５のセンサ部１１５Ａに垂直なＺ軸に沿う下顎の位置を示すものとなる。
スタイラス１４４は、また、第４参照部材１４４Ｃを備えている。第４参照部材１４４Ｃとスタイラス本体１４４Ａとは、角度を含めた相対的な位置関係が予め定めた特定の関係となるようになっている。第４参照部材１４４Ｃは、球状である２つの第４参照体１４４Ｃ１と、第４参照体１４４Ｃ１をスタイラス本体１４４Ａに接続する、この限りではないがこの実施形態では棒状とされた、棒状体１４４Ｃ２とを含んでいる。この限りではないが、この実施形態における棒状体１４４Ｃ２は、スタイラス本体１４４Ａと一直線上に位置するようになっており、且つその直線状に２つの第４参照体１４４Ｃ１の中心が乗るようにして、２つの第４参照体１４４Ｃ１を固定的に接続している。
なお、この実施形態では、第１参照部材１１６の第１参照体１１６Ｂと、第２参照部材１２３の第２参照体１２３Ｂは、文字、記号、又は図案であり、第３参照部材１１５Ｅの第３参照体１１５Ｅ１と、第４参照部材１４４Ｃの第４参照体１４４Ｃ１とは、球体であるものとして説明したが、この関係は逆でも構わない。
【００３３】
アンダーボウ１４０は、下バイトフォーク１４５を備えている。下バイトフォーク１４５は、前棒１４１に固定された固定板１４５Ａにその基端を固定された固定棒１４５Ｂの先端に固定されている。下バイトフォーク１４５は、その下面を患者の下顎歯列の上面に固定される。その固定は例えば、下バイトフォーク１４５に即時重合レジン等を配してから下顎歯列歯牙頬側に面圧接することによって下顎歯列に適合した状態で重合し、歯牙頬側軸面に適合させた、下バイトフォーク１４５を下顎運動を干渉する事が無い下顎歯列の頬側面に瞬間接着剤等で固定する等の一般的な方法で行う。
下バイトフォーク１４５を患者の下顎歯列に取付けた状態の概略を、図３に示す。スタイラス１４４と、フラッグ１１５は、図３に示したように、対向したものとなる。
下バイトフォーク１４５には、また、バイトフォーク１２０が備えていたのと同様に構成されている第２参照部材１２３が取付けられている。この第２参照部材１２３は、第２本体部材１２３Ａと、第２参照体１２３Ｂとを備えている。第２参照体１２３Ｂは、それとアンダーボウ１４０との角度を含めた位置関係が一定の関係になるようにして、下バイトフォーク１４５に取付けられている。
【００３４】
次に、この実施形態における、診断装置について説明する。この診断装置は治療にも用いるものであるが、簡単のため以下、単に診断装置と称するものとする。
この診断装置は、本願発明における仮想咬合器データ生成装置と、下顎運動記録装置の機能を併せ持つ。もっともそれら機能を別の装置として実現可能なことは当然であろう。
【００３５】
診断装置２００は、図４に示したようなものであり、事実上コンピュータ、例えば、一般的なパーソナルコンピュータによって構成される。
【００３６】
診断装置２００は、コンピュータである本体２１０と、入力装置２２０と、ディスプレイ２３０とを含んでいる。
入力装置２２０は、ユーザである歯科医師等が本体２１０に対して入力を行うための機器である。これには限られないが、この実施形態における入力装置２２０は、例えば、汎用のキーボード、マウスなどを含んでいる。
ディスプレイ２３０は、汎用のものでよく、例えば液晶ディスプレイであり、或いはＣＲＴディスプレイである。
【００３７】
次に、本体２１０の構成について説明する。
本体２１０は、その内部に、図５に示したようなハードウエアを備えている。本体２１０は、この実施形態では、ＣＰＵ（Central Processing Unit）２１１、ＲＯＭ（Read Only Memory）２１２、ＲＡＭ（Random Access Memory）２１３、ＨＤＤ（Hard disc drive）２１４、インタフェイス２１５、及びこれらを接続するバス２１６を備えている。
ＣＰＵ２１１は、本体２１０全体の制御を行う。ＣＰＵ２１１は、プログラムを実行することで、以下に説明するような種々の処理を実行する。
ＲＯＭ２１２は、ＣＰＵ２１１を動作させるためのプログラム、本体２１０を制御する際に必要なデータなどを記憶している。
ＲＡＭ２１３は、ＣＰＵ２１１がデータ処理を行うためのワーク領域を提供する。
ＨＤＤ２１４もまた、ＣＰＵ２１１を動作させるためのプログラム、データを記録している。例えば、ＣＰＵ２１１を動作させるためのＯＳがＨＤＤ２１４に記録されている。本発明のプログラムは、ＲＯＭ２１２か、或いはＨＤＤ２１４に記録されている。なお、本発明のプログラムは、本体２１０の出荷時から本体２１０にインストールされていてもよく、本体２１０の出荷後に、例えばユーザにより本体２１０にインストールされたものであっても構わない。本体２１０の出荷後にインストールされる場合、本発明のプログラムは、ＣＤ−ＲＯＭ等の記録媒体から本体２１０に記録されてもよく、また、インターネット等の所定のネットワークからのダウンロードを経て本体２１０に記録されたものであってもよい。本発明のプログラムは、それ単独で後述する処理をＣＰＵ２１１に実行させるものとなっていてもよく、ＯＳその他の他のプログラムとの協働により後述の処理をＣＰＵ２１１に実行させるものとなっていても構わない。
インタフェイス２１５は、ＣＰＵ２１１、ＲＯＭ２１２、ＲＡＭ２１３、ＨＤＤ２１４と外部とを繋ぐ窓口となるものであり、ＣＰＵ２１１、ＲＯＭ２１２、ＲＡＭ２１３、ＨＤＤ２１４は、必要に応じて、インタフェイス２１５を介して外部とデータ交換を行えるようになっている。本体２１０は後述のように、相対位置画像データその他の画像データを外部機器（例えば、３次元画像撮像カメラ又は２次元画像撮像カメラ）、或いは画像データを記録した記録媒体から受付けられるようになっている必要がある。画像データは、有線、或いは無線のネットワークを介して外部機器等からインタフェイス２１５が受付けるようになっていても構わない。それを可能とするように、インタフェイス２１５は、例えば、本体２１０に設けられた図示を省略のＵＳＢ端子と接続されており、ＵＳＢケーブルとその一端が接続された外部機器から、ＵＳＢケーブルと、ＵＳＢケーブルとその他端を接続されたＵＳＢ端子を介して、画像データを受付けられるようになっている。或いは、インタフェイス２１５は、ＤＶＤ、メモリカード等の所定の記録媒体からデータを読み込むことができるリーダを備えており、そのリーダに入れられた画像データを記録した記録媒体から、画像データを受付けるようになっている。
【００３８】
プログラムをＣＰＵ２１１が実行することにより、本体２１０の内部には、図６に示した如き機能ブロックが生成される。なお、上述したように、この診断装置は、本願発明でいう仮想咬合器データ生成装置と、下顎運動記録装置とを兼ねている。したがって、この実施形態におけるプログラムは、例えば汎用のコンピュータを、仮想咬合器データ生成装置と、下顎運動記録装置の双方として機能させるものとなっている。もっとも、あるコンピュータを仮想咬合器データ生成装置としてのみ機能させ、またそれとは別のコンピュータを下顎運動記録装置としてのみ機能させる場合には、それぞれのコンピュータにインストールされるべきプログラムは、それに必要な機能をコンピュータに与えるものであれば足りるのは、当業者には当然理解できることであろう。
【００３９】
この実施形態では本体２１０の中には、受付部２２１、制御部２２２、モデル生成部２２３、位置データ生成部２２４、フェイスボウデータ記録部２２５、結合部２２６、仮想咬合器データ記録部２２７、表示制御部２２８、リファレンスポジション決定部２２９、及び下顎運動画像データ生成部２３０が生成される。
あるコンピュータを仮想咬合器データ生成装置としてのみ機能させる場合には、そのコンピュータの本体２１０の中には、受付部２２１、制御部２２２、モデル生成部２２３、位置データ生成部２２４、フェイスボウデータ記録部２２５、結合部２２６、仮想咬合器データ記録部２２７、及び表示制御部２２８があれば足りる。
また、あるコンピュータを下顎運動記録装置としてのみ機能させる場合には、そのコンピュータの本体２１０の中には、受付部２２１、制御部２２２、仮想咬合器データ記録部２２７、表示制御部２２８、リファレンスポジション決定部２２９、及び下顎運動画像データ生成部２３０があれば足りる。
【００４０】
受付部２２１は、外部から入力されるデータをインタフェイス２１５を介して受付けるものである。受付部２２１は、本願でいう受付手段、第２受付手段、及び第３受付手段を兼ねる。
受付部２２１が受付けるデータとしては、例えば、入力装置２２０から受付ける後述するデータ、或いは外部機器又は記録媒体から受付ける画像データがある。受付部２２１が受付ける画像データとしては、患者の上顎歯列の画像である上顎歯列画像のデータである上顎歯列画像データ、患者の下顎歯列の画像である下顎歯列画像のデータである下顎歯列画像データ、患者の上顎歯列にバイトフォーク１２０が固定された状態で撮像された、バイトフォーク１２０と上顎歯列下面の角度を含めた相対的な位置関係を示す画像である上部画像のデータである上部画像データ、アッパーボウ１１０とバイトフォーク１２０とがまとめて映り込んだものであり、アッパーボウ１１０とバイトフォーク１２０との角度を含めた相対的な位置関係を示す画像である相対位置画像のデータである相対位置画像データ、上顎歯列と下顎歯列の噛合わせの状態を示す画像である咬合画像のデータである咬合画像データ、及びリファレンスポジションにおける患者の下顎の位置を特定できる画像であるリファレンス画像のデータであるリファレンス画像データがある。リファレンス画像データは、診断装置２００が下顎運動記録装置として機能するときに用いられるものであり、それ以外の画像データは診断装置２００が仮想咬合器データ生成装置として機能するときに用いられる。
受付部２２１は、また、フラッグ１１５と、スタイラス１４４から、インタフェイス２１５を介して運動データを受付ける。運動データは、診断装置２００が下顎運動記録装置として機能するときに用いられる。
受付部２２１は、受付けたデータがどのデータかを判別して、適切な送り先にそれを送るようになっている。
受付部２２１は、入力装置２２０から受付けたデータを主に制御部２２２に送り、上顎歯列画像データと、下顎歯列画像データは、モデル生成部２２３に送り、上部画像データと、相対位置画像データと、咬合画像データは位置データ生成部２２４に送るようになっている。
受付部２２１はまた、リファレンス画像データを、リファレンスポジション決定部２２９に送り、運動データを、下顎運動画像データ生成部２３０に送るようになっている。ただし、受付部２２１は、リファレンスポジション決定部２３０がリファレンスポジションを決定するときだけ、運動データを、リファレンスポジション決定部２２９に送るようになっている。
【００４１】
制御部２２２は、本体２１０全体の制御を行う。
【００４２】
モデル生成部２２３は、上述のように受付部２２１から上顎歯列画像データと、下顎歯列画像データを受付けるようになっている。モデル生成部２２３は、受付けた上顎歯列画像データから上顎歯列の３次元モデルである上顎歯列モデルのデータである上顎歯列モデルデータを生成するようになっている。これは、現実の咬合器であれば、上顎歯列の模型に相当するものである。モデル生成部２２３は、受付けた下顎歯列画像データから下顎歯列の３次元モデルである下顎歯列モデルのデータである下顎歯列モデルデータを生成するようになっている。これは、現実の咬合器であれば、下顎歯列の模型に相当するものである。モデル生成部２２３は、上顎歯列モデルデータと、下顎歯列モデルデータを、例えばポリゴンを用いた既知の画像処理技術を応用することにより生成する。
モデル生成部２２３が上顎歯列モデルと下顎歯列モデルを正確に生成できるようにするには、必ずしもこの限りではないが、上顎歯列画像と下顎歯列画像がいずれも３次元画像であることが好ましい。そのような撮像を行うことのできる口腔内撮像用の３次元撮像用カメラも実用されている。
モデル生成部２２３は、生成した上顎歯列モデルデータと、下顎歯列モデルデータとを、結合部２２６に送るようになっている。
【００４３】
位置データ生成部２２４は上述のように、受付部２２１から上部画像データと、相対位置画像データと、咬合画像データとを受付けるようになっている。
位置データ生成部２２４は、受付けた上部画像データ、及び相対位置画像データから、生体の患者における基準面に対する角度を含めた上顎歯列の相対的な位置を求めて、仮想の基準面である仮想基準面に対する上顎歯列の位置についてのデータである第１位置データを生成するようになっている。位置データ生成部２２４は、また、受付けた咬合画像データから、上顎歯列に対する角度を含めた下顎歯列の相対的な位置を求めて、上顎歯列に対する下顎歯列の位置についてのデータである第２位置データを生成するようになっている。
これら第１位置データと、第２位置データは、コンピュータ上で作られる仮想咬合器における上顎歯列モデルと、下顎歯列モデルの位置合わせを後に行うときに用いられる。第１位置データを用いれば、基準面と、上顎歯列モデルの位置合わせを、生体の患者における基準面と上顎歯列に一致させるようにして行うことができる。第２位置データを用いれば、上顎歯列モデルと下顎歯列モデルの位置合わせを、生体の患者における上顎歯列と下顎歯列に一致させるようにして行うことができる。
【００４４】
この実施形態における位置データ生成部２２４は、以下のようにして第１位置データを生成するようになっている。なお、画像からある対象物の位置（座標）を特定するには、公知或いは周知のいわゆるカメラキャリブレーションの処理を用いれば良い。
上述したように、第１位置データは、上部画像データ、及び相対位置画像データから生成される。上部画像データは、上述のように、バイトフォーク１２０と上顎歯列下面の角度を含めた相対的な位置関係を示す画像である。複数であることもあるが、上部画像には、バイトフォーク１２０と上顎歯列とが写っているので、上部画像データに対して、公知の画像処理を適用することにより、それら相互の位置関係を示すデータを生成するのは容易である。例えば、上顎歯列のみが写った上顎歯列画像と、上顎歯列とバイトフォーク１２０とが写った上部画像の重ね合わせにより、上顎歯列とバイトフォーク１２０の位置関係は容易に求められる。かかる位置関係をより正確に決定するには、上部画像が３次元画像であるのが好ましい。
第１位置データを求めるには、また、相対位置画像データから、アッパーボウ１１０とバイトフォーク１２０との角度を含めた相対的な位置関係を求める必要がある。この実施形態の相対位置画像には、上述のように、アッパーボウ１１０と、バイトフォーク１２０とが写っている。アッパーボウ１１０と、バイトフォーク１２０との相対的な位置関係を、それらの少なくとも一部が写り込んでいる相対位置画像に対する画像処理から求めることは可能である。この実施形態の診断装置２００は、フェイスボウデータ記録部２２５に、例えば、アッパーボウ１１０と、バイトフォーク１２０の大きさ、形状についての情報を持っている。その情報を用いれば、相対位置画像に映り込んだアッパーボウ１１０と、バイトフォーク１２０の画像に対して公知の画像処理を行うことにより、アッパーボウ１１０と、バイトフォーク１２０の相対的な位置関係を求めることができる。
もっともこの実施形態では、相対位置画像には、アッパーボウ１１０と、バイトフォーク１２０の少なくとも一部に加えて、アッパーボウ１１０との角度を含めた位置関係が予め定めた特定の関係となっている第１参照体１１６Ｂと、バイトフォーク１２０との角度を含めた位置関係が予め定めた特定の関係となっている第２参照体１２３Ｂとが写り込んでいる。そして、この実施形態の診断装置２００のフェイスボウデータ記録部２２５は、複数の第１参照体１１６Ｂの大きさ、形状についての情報と、それら相互の位置関係についての情報を有しているとともに、複数の第２参照体１２３Ｂの大きさ、形状についての情報と、それら相互の位置関係についての情報を有している。この情報を用いて相対位置画像に対して画像処理を行うことによって、位置データ生成部２２４は、複数の第１参照体１１６Ｂと、複数の第２参照体１２３Ｂの角度を含めた相対的な位置関係を求めることができる。また、この実施形態の診断装置２００のフェイスボウデータ記録部２２５は、アッパーボウ１１０と第１参照体１１６Ｂとの位置関係についての情報と、バイトフォーク１２０と第２参照体１２３Ｂとの位置関係についての情報とを、予め持っている。この実施形態の位置データ生成部２２４は、その情報を用いることによって、第１参照体１１６Ｂと特定の関係となっているアッパーボウ１１０と、第２参照体１２３Ｂと特定の関係となっているバイトフォーク１２０との角度を含めた相対的な位置関係を、正確に且つ簡単に求めることができる。
相対位置画像は、相対位置画像が２次元画像である場合には、異なる方向から撮像された２枚以上の画像であっても良い。相対位置画像が異なる方向から撮像された２枚以上の２次元画像である場合には、それら画像は同時に撮像されるか、或いは２枚以上の画像を撮像する間に患者に動きがないようにして撮像されるかすることが好ましい。また、相対位置画像は、相対位置画像が３次元画像である場合には、１枚以上の画像であっても良い。相対位置画像がそのようなものであれば、公知の方法によって、相対位置画像から、アッパーボウ１１０と、バイトフォーク１２０の相対的な位置関係を求めるのは容易である。
フェイスボウデータ記録部２２５には、上述の如き情報ないしそのデータが記録されている。ところで、この実施形態の診断装置２００は、それと組合せられるフェイスボウ１００が複数種類ある場合もある。その場合には、フェイスボウデータ記録部２２５には、この診断装置２００と組合せて用いられる複数のフェイスボウ１００についてのそれぞれのデータであるフェイスボウデータがフェイスボウ１００の種類の数と同数だけ記録されていてもよい。診断装置２００と組合せて用いられるフェイスボウ１００が複数ある場合には、診断装置２００を操作する者は、例えば入力装置２２０を操作して、複数のフェイスボウデータの中から、使用されるフェイスボウ１００についてのフェイスボウデータを選択できるようになっている。そのようにして選択されたフェイスボウデータを用いることによって、位置データ生成部２２４は、アッパーボウ１１０と、バイトフォーク１２０の相対的な位置関係を確実に求めることができるようになっている。なお、以上の事情は、第１参照体１１６Ｂと、第２参照体１２３Ｂが複数種類ある場合にも同様である。第１参照体１１６Ｂと、第２参照体１２３Ｂが複数種類用いられる場合には、それらに関連する既に述べた情報は、複数組準備されることになる。
以上のようにして、バイトフォーク１２０と上顎歯列の相対的な位置関係と、アッパーボウ１１０と、バイトフォーク１２０の相対的な位置関係が求められる。そして、アッパーボウ１１０は、患者の頭部に想定される基準面に対して一意に固定されているから、アッパーボウ１１０とバイトフォーク１２０の相対的な位置関係が把握できるというのは事実上、基準面とバイトフォーク１２０の相対的な位置関係が把握できることを意味する。そして、上述の如く、バイトフォーク１２０と上顎歯列の相対的な位置関係も把握されているのであるから、それと基準面に対するバイトフォーク１２０の相対的な位置関係を組合せることにより、基準面に対する上顎歯列の位置関係が把握できる。
このようにして求められる患者の基準面と上顎歯列の位置関係が、コンピュータ上に形成される仮想咬合器における仮想の基準面である仮想基準面と、上顎歯列モデルの位置関係として再現するための、仮想基準面と、上顎歯列モデルの相互の位置についてのデータである第１位置データとして用いられることになる。
【００４５】
この実施形態における位置データ生成部２２４は、以下のようにして第２位置データを生成するようになっている。
上述したように、第２位置データは、咬合画像データから生成される。咬合画像データは、上述のように、上顎歯列と下顎歯列の噛合わせの状態を示す画像である。複数であることもあるが、咬合わせ画像には、噛合わせた上顎歯列と下顎歯列（それらの一部である場合もある）が写っているか、或いは患者の上顎歯列と下顎歯列との間で咬合された、上顎歯列と下顎歯列の形状を印記できる印記用ペーストが写っているので、咬合画像データに対して、公知の画像処理を適用することにより、上顎歯列と下顎歯列の相互の位置関係を示す第２位置データを生成するのは容易である。
【００４６】
位置データ生成部２２４は以上のように生成した第１位置データと第２位置データとを、結合部２２６へ送る。
【００４７】
結合部２２６は、モデル生成部２２３から、上顎歯列モデルデータと下顎歯列モデルデータとを受取る。結合部２２６はまた、位置データ生成部２２４から第１位置データと第２位置データとを受取る。
結合部２２６は、これらを用いて仮想咬合器についての仮想咬合器データを生成する。仮想咬合器は実際の咬合器を立体的に画像化したものである。仮想咬合器では、実際の咬合器における上顎歯列と下顎歯列の模型は、上顎歯列モデルと下顎歯列モデルに置き換えられる。
そして、咬合器における基準面に対する上顎歯列の位置合わせは、仮想咬合器においては、仮想基準面に対する上顎歯列モデルの位置合わせとして実行される。その位置合わせには、仮想基準面と、上顎歯列モデルの相互の位置についてのデータである第１位置データが用いられる。
また、咬合器における上顎歯列下面と下顎歯列上面の位置合わせは、仮想咬合器においては、上顎歯列モデルの下面と下顎歯列モデルの上面の位置合わせとして実行される。その位置合わせには、上顎歯列と下顎歯列の相互の位置関係を示す第２位置データが用いられる。
以上のようにして、仮想咬合器についての仮想咬合器データが生成される。仮想咬合器は、例えば、仮想の顎関節を軸として上顎歯列モデルと下顎歯列モデルを開閉させたりすることも可能なものとすることができる。そのような画像処理も、公知の技術を用いれば可能である。
結合部２２６は仮想咬合器データを、仮想咬合器データ記録部２２７と、表示制御部２２８とに送る。
【００４８】
仮想咬合器データ記録部２２７は、仮想咬合器データを記録するものである。仮想咬合器データは一般に、その仮想咬合器がどの患者のものであるかを特定するデータとともに仮想咬合器データ記録部２２７に記録される。
表示制御部２２８は、ディスプレイ２３０の制御を行う。表示制御部２２８は、仮想咬合器データを受取ると、それに基づいて仮想咬合器をディスプレイ２３０に表示するための例えば動画の画像データを作り、その画像データをインタフェイス２１５を介してディスプレイ２３０に送る。
それにより、ディスプレイ２３０には、仮想咬合器の画像が例えば動画により表示されることになる。
【００４９】
リファレンスポジション決定部２２９は、上述のように受付部２２１からリファレンス画像データを受付け、それに基づき、患者の下顎の、ひいては仮想咬合器における下顎（或いは下顎歯列）のリファレンスポジションを決定する。
それは以下のように行われる。リファレンスポジション決定部２２９は、リファレンスポジションをリファレンスポジション決定部２２９が決定するまで、患者の下顎の位置を示す運動データを受け取り続ける。ある瞬間、患者が写り込んだ、例えば３次元画像であるリファレンス画像が撮像される。リファレンスポジション決定部２２９は、その瞬間における運動データが示す下顎の位置が、リファレンス画像と一致するように調整を行い、フラッグ１１５に対するスタイラス１４４の相対的な移動量のデータでしかない運動データ（つまり、運動データのみによっても、所定の点からの移動の軌跡を追うことはできるが、運動データのみによっては、その所定の点がどこか定まらない。）を、基準面に対する相対的な位置のデータに変換する。それにより、仮想咬合器上で下顎を下顎運動させるための初期位置乃至基準位置であるリファレンスポジションが決定される。
リファレンス画像は、例えば、患者の頭部或いは基準面に対する下顎（或いは下顎歯列）の相対的な位置を把握できる画像であれば良い。
リファレンス画像は、例えば、患者の下顎歯列と上顎歯列とが写り込んだ画像と、患者の下顎歯列とアッパーボウ１１０を取付けた患者の頭部とが写り込んだ画像との組合せであっても良い。この実施形態の場合であれば、リファレンス画像は、患者の下顎歯列と上顎歯列とが写り込んだ画像と、アッパーボウ１１０とアンダーボウ１４０との角度を含めた相対的な位置関係を特定できるような画像との組合せであってもよい。これら画像は、相対位置画像の場合と同様に、２つ以上の異なる角度から撮像された２次元画像でも良いし、３次元画像でも構わない。これら画像が異なる方向から撮像された２枚以上の２次元画像である場合には、それら画像は同時に撮像されるか、或いは２枚以上の画像を撮像する間に患者に動きがないようにして撮像されるかすることが好ましい。
この実施形態におけるアッパーボウ１１０とアンダーボウ１４０との角度を含めた相対的な位置関係を特定できるような画像には、アッパーボウ１１０とアンダーボウ１４０とが写り込んでいる。アッパーボウ１１０とアンダーボウ１４０の相対的な位置関係は、位置データ生成部２２４が、相対位置画像からアッパーボウ１１０とバイトフォーク１２０との相対的な位置関係を決定したのと同様にして、リファレンスポジション決定部２２９がリファレンス画像から決定することができる。
この実施形態におけるアッパーボウ１１０とアンダーボウ１４０にはそれぞれ、上述したように第１参照部材１１６と第２参照部材１２３が設けられている。これを用いれば、相対位置画像からアッパーボウ１１０とバイトフォーク１２０との相対的な位置関係を決定したのと同様にして、フラッグ１１５とスタイラス１４４との相対的な位置関係を決定する。また、この実施形態におけるフラッグ１１５とスタイラス１４４とにはそれぞれ、上述したように、第３参照部材１１５Ｅと、第４参照部材１４４Ｃとが設けられている。第３参照部材１１５Ｅと、第４参照部材１４４Ｃとは、相対位置画像からアッパーボウ１１０と、バイトフォーク１２０との相対的な位置関係を決定するときに、第１参照体１１６Ｂと、第２参照体１２３Ｂを利用したのと同様の方法で、リファレンス画像からフラッグ１１５とスタイラス１４４との相対的な位置関係を決定するのに利用可能である。つまり、第３参照部材１１５Ｅの第３参照体１１５Ｅ１と、第４参照部材１４４Ｃの第４参照体１４４Ｃ１との相対的な位置関係を決定できれば、第３参照部材１１５Ｅと予め決められた位置関係にあるフラッグ１１５と、第４参照部材１４４Ｃと予め決められた位置関係にあるスタイラス１４４の相対的な位置関係も決定できることになる。そして、これが決定されれば、アッパーボウ１１０と下バイトフォーク１４５との角度を含めた位置関係も決定される。
フラッグ１１５とスタイラス１４４との相対的な位置関係を決定するために必要な、第１参照部材１１６とアッパーボウ１１０との、又は第３参照部材１１５Ｅとフラッグ１１５との、予め決められた位置関係についての情報と、第２参照部材１２３とアンダーボウ１４０との、又は第４参照部材１４４Ｃとスタイラス１４４との、予め決められた位置関係についての情報は、例えばフェイスボウデータ記録部２２５に記録されていても良いし、或いはリファレンスポジション決定部２２９が持っていても良い。この実施形態では、リファレンスポジション決定部２２９がそれらの情報を持っており、リファレンスポジション決定部２２９は、その情報を用いて、リファレンス画像から、アッパーボウ１１０と下バイトフォーク１４５との角度を含めた相対的な位置関係を決定できるようになっている。このように、この実施形態では、第１参照部材１１６と第２参照部材１２３との組合せで、或いは第３参照部材１１５Ｅと第４参照部材１４４Ｃとの組合せで、アッパーボウ１１０と下バイトフォーク１４５との相対的な位置関係を検出できるようにしているが、それら組合せの片方のみが存在すれば、アッパーボウ１１０と下バイトフォーク１４５との相対的な位置関係を検出することは可能である。
第３参照部材１１５Ｅと第４参照部材１４４Ｃとの組合せでアッパーボウ１１０と下バイトフォーク１４５との相対的な位置関係を検出するようになっている場合、リファレンスポジション決定部２２９は、例えば以下のようにして、アッパーボウ１１０と下バイトフォーク１４５の角度を含めた相対的な位置関係を決定するようになっていてもよい。まず、両スタイラス１４４の互いに重なりあう延長線を、仮想の３次元空間の、２つのフラッグ１１５の互いに対向する面の間に生成するとともに、その線とフラッグ１１５の互いに対向する面との接点を点Ｐ、点Ｑとして求め、また、点Ｐと、点Ｑの中点である点Ｒを求める。また、それと並行して、位置決め棒１１３の位置を点Ｓとして求める（図７）。なお、図７は、アッパーボウ１１０に設けられる第１参照部材１１６と、スタイラス１４４に設けられる第４参照部材１４４Ｃの他の例をも示すものとなっている。この例の第１参照部材１１６は小さく、位置決め棒１１３の最も前方に取付けられており、また、第２参照部材１４４Ｃは、第１参照部材１１６と同様に、透明な板１４４Ｃ３に第４参照体１４４Ｃ４を描いたものとなっている。
次いで、リファレンスポジション決定部２２９は、点Ｐと、点Ｑを通る線をＹ軸として決定する。また、リファレンスポジション決定部２２９は、点Ｐと、点Ｑと、点Ｓを結ぶ三角形を、仮想の３次元空間内に描写するとともに、点Ｐと、点Ｑと、点Ｓを結ぶ三角形を含む平面内を通るとともに、点Ｒを通り、且つＹ軸に直行する線を仮想の３次元空間内に描写し、それをＸ軸とする。次いで、上述のＸ軸とＹ軸の双方に直交する線を仮想の３次元空間内に描写し、それをＺ軸とする。このようにして求められたＸ軸、Ｙ軸、及びＺ軸を用いてスタイラス１４４とフラッグ１１５との角度を含めた相対的な位置関係を求めれば、アッパーボウ１１０と下バイトフォーク１４５の角度を含めた相対的な位置関係を求めるのは容易である。なお、アッパーボウ１１０と下バイトフォーク１２０との角度を含めた相対的な位置関係を求める場合にも、同様の座標軸の求め方を採用することができる。
リファレンスポジション決定部２２９は以上のようにして決定されたリファレンスポジションについてのデータであるリファレンスポジションデータを、下顎運動画像データ生成部２３０に送るようになっている。
【００５０】
下顎運動画像データ生成部２３０は、上述のように受付部２２１から運動データを受付ける。運動データは、下顎運動の記録を行う際に用いられるアンダーボウ１４０を備えたフェイスボウ１００のフラッグ１１５と、スタイラス１４４から送られるものであり、上述のように、下顎のＸＹＺ軸方向の所定の点からの移動量を示すデータである。
フラッグ１１５は、患者の頭部に固定されるアッパーボウ１１０に固定されている。スタイラス１４４は患者の下顎の一部である下顎歯列に下バイトフォーク１４５によって固定されているアンダーボウ１４０に固定されている。そして、アッパーボウ１１０とアンダーボウ１４０は互いに接続されていない。患者が下顎運動を行うと、アンダーボウ１４０全体が下顎運動にしたがって移動し、その下顎運動にしたがって、スタイラス１４４の針状部１４４Ｂがフラッグ１１５のセンサ部１１５Ａをなぞる。これにより、上述の運動データは、下顎運動を表すデータとなる。
下顎運動画像データ生成部２３０は、運動データを受取るとともに、リファレンスポジション決定部２２９からリファレンスポジションデータを受取り、また、仮想咬合器データ記録部２２７から仮想咬合器データを読み出す。そして、仮想咬合器データにより特定される仮想咬合器の画像上に、リファレンスポジションデータにより仮想咬合器における下顎のリファレンスポジションを決定した上で、患者の下顎の運動を示すマークを書込む処理を実行するか、或いは、仮想咬合器の画像上における下顎を、リファレンスポジションデータにより仮想咬合器における下顎のリファレンスポジションを決定した上で、患者の下顎運動を再現するようにアニメーションにより下顎運動させる処理を実行し、それら処理の結果生成されたデータである下顎運動画像データを生成する。
下顎運動データ生成部２３０は生成した下顎運動画像データを、仮想咬合器データ記録部２２７及び表示制御部２２８に送るようになっている。
【００５１】
この実施形態では、仮想咬合器データ記録部２２７には、仮想咬合器データに加えて、下顎運動画像データも記録されるようになっている。また、この実施形態では、表示制御部２２８は、上述した仮想咬合器の画像のみならず、下顎運動画像データに基づく、患者の下顎運動を示すマークを書き込まれた仮想咬合器の画像か、仮想咬合器の画像上における下顎を、患者の下顎運動を再現するように下顎運動させる動画の画像を、ディスプレイ２３０に表示するようになっている。
【００５２】
次に、以上説明した診断装置で診断を行う方法について説明する。
診断装置で行えるのは、仮想咬合器データの生成と、下顎運動の記録である。これらについて順に説明する。
【００５３】
仮想咬合器データを生成するにあたり、まず、患者の上顎歯列画像と、下顎歯列画像と、咬合画像とを撮像し、上顎歯列画像データと、下顎歯列画像データと、咬合画像データとを生成する。なお、この過程は、フェイスボウ１００が患者に固定されていない状態であれば、いつ行っても構わない。
上述のように、上顎歯列画像は上顎歯列が映り込んでいる、例えば３次元の画像であって、上顎歯列モデルを後に生成するのに足りるものとされ、場合によっては複数の画像とされる。
下顎歯列画像は下顎歯列が映り込んでいる、例えば３次元の画像であって、下顎歯列モデルを後に生成するのに足りるものとされ、場合によっては複数の画像とされる。
咬合画像は、上顎歯列に対する角度を含めた下顎歯列の相対的な位置を把握できるような画像であり、上顎歯列に対する下顎歯列の相対的な位置についての第２位置データを後に生成するのに足りるものとされ、場合によっては複数の画像とされる。咬合画像には、噛合わせた上顎歯列と下顎歯列（それらの一部である場合もある）か、或いは患者の上顎歯列と下顎歯列との間で咬合された、上顎歯列と下顎歯列の形状を印記できる印記用ペーストが写っている。
【００５４】
次に、患者の頭部にフェイスボウ１００を取付ける。
フェイスボウ１００の患者の頭部への取り付け方は、一般的なフェイスボウ１００の場合と何ら変わらない。
この実施形態であれば、アッパーボウ１１０は、２つのテンプル１１４が患者の耳にかかり、ブリッジ部１１１Ｂが患者の鼻筋にかかり、本体部１１１のフレーム部１１１Ａが正しく患者の眼前に位置し、位置決め棒１１３の垂直部１１３Ｂが、患者の鼻に正しく位置決めされた状態とする。そのために、本体部１１１に対するテンプル１１４と位置決め棒１１３の位置や、テンプル１１４の前テンプル部１１４Ａに対する後テンプル部１１４Ｂの位置の調整を、患者の顔の寸法に応じて行うのも一般的なフェイスボウの場合と同様である。こうすることで、アッパーボウ１１０は、患者の頭部の基準面に対して、予定されていた位置関係に一意に位置決めされる。なお、このときフラッグ１１５は、テンプル１１４に取付けられていなくても良い。
他方、バイトフォーク１２０の上面に、例えばモデリングコンパウンドを塗布し、バイトフォーク１２０の上面を患者の上顎歯列の下面に固定する。
【００５５】
以上のようにして患者にフェイスボウ１００を取付けたら、上部画像と、相対位置画像とを撮影し、上部画像データと、相対位置画像データとを生成する。
上部画像は、上顎歯列とバイトフォーク１２０の角度も含めた相対的な位置関係を把握できるようにするために、それら（の少なくとも一部）が映り込んでいる、例えば３次元の画像であり、後に相対位置画像と合わせて第１位置データを生成するのに足りるものとされ、場合によっては複数の画像とされる。
相対位置画像は、アッパーボウ１１０とバイトフォーク１２０の角度も含めた相対的な位置関係をその画像から把握できるものとする。相対位置画像は、例えば、２枚以上の異なる角度から撮像した画像であり、或いは、１枚以上の３次元の画像である。相対位置画像には、アッパーボウ１１０とバイトフォーク１２０との少なくとも一部が写り込んでいるが、この実施形態では、それに加えて、第１参照体１１６Ｂと、第２参照体１２３Ｂとが写り込んでいる。
【００５６】
次いで、診断装置２００で仮想咬合器データを生成する処理が実行される。
【００５７】
まず、患者を特定するための患者の氏名等の情報を、入力装置２２０から入力する。入力装置２２０から入力されたその情報は、インタフェイス２１５から制御部２２２に送られる。
制御部２２２は、その情報を、今から仮想咬合器データが作られる患者を特定するための情報として仮想咬合器データ記録部２２７に記録する。
【００５８】
次いで、診断装置２００に、種々の画像のデータが入力される。
具体的には、上顎歯列画像のデータである上顎歯列画像データと、下顎歯列画像のデータである下顎歯列画像データと、咬合画像のデータである咬合画像データと、上部画像のデータである上部画像データと、相対位置画像のデータである相対位置画像データが入力される。これらは、外部機器から、或いは所定の記録媒体を介して入力されるが、いずれにせよ、インタフェイス２１５を介して受付部２２１に受付けられる。
なお、これら画像のデータの入力は、必ずしも一度に、或いは連続して行うことは要しない。例えば、それらのデータが生成された都度、受付部２２１に入力されても良い。
受付部２２１は、上顎歯列画像データと、下顎歯列画像データを、モデル生成部２２３に送り、上部画像データと、相対位置画像データと、咬合画像データとを位置データ生成部２２４に送る。
【００５９】
受付部２２１から上顎歯列画像データと、下顎歯列画像データを受付けたモデル生成部２２３は、上顎歯列画像データから上顎歯列の３次元モデルである上顎歯列モデルのデータである上顎歯列モデルデータを生成するとともに、下顎歯列画像データから下顎歯列の３次元モデルである下顎歯列モデルのデータである下顎歯列モデルデータを生成する。
モデル生成部２２３は、生成した上顎歯列モデルデータと、下顎歯列モデルデータとを、結合部２２６に送る。
【００６０】
受付部２２１から上部画像データと、姿勢画像データと、咬合画像データとを受付けた位置データ生成部２２４は上部画像データ、及び相対位置画像データから、第１位置データを生成するとともに、咬合画像データから第２位置データを生成するようになっている。
上述のように、この実施形態では、第１位置データを作る場合にフェイスボウデータ記録部２２５に記録されたデータを用いる。フェイスボウデータ記録部２２５に記録されたフェイスボウについてのデータが複数ある場合には、その複数のデータの中からその患者が使用したフェイスボウについてのデータが選択された上で、位置データ生成部２２４に読み出される。その選択に必要な、患者に使用されたフェイスボウを特定するための情報は、例えば、歯科医師が操作した入力装置２２０からインタフェイス２１５を介して制御部２２２に送られ、制御部２２２から位置データ生成部２２４に伝えられる。位置データ生成部２２４はその情報に基づいて読み出すべきフェイスボウについてのデータを、複数のデータの中から選択できるようになっている。
位置データ生成部２２４は、既に述べた方法で生成した第１位置データと第２位置データとを、結合部２２６へ送る。
【００６１】
モデル生成部２２３から、上顎歯列モデルデータと下顎歯列モデルデータとを受取るとともに、位置データ生成部２２４から第１位置データと第２位置データとを受取った結合部２２６は、それらに基づいて仮想咬合器についての仮想咬合器データを生成する。もっともこれにより作られる仮想咬合器は、咬合器で言うところの、半調節性咬合器と同様のものであり、一般的な人間の関節位置を基準として下顎運動を行うようなものとなる。
結合部２２６は仮想咬合器データを、仮想咬合器データ記録部２２７と、表示制御部２２８とに送る。
【００６２】
仮想咬合器データ記録部２２７は、結合部２２６から送られて来た仮想咬合器データを記録する。基本的には、仮想咬合器データは、先に仮想咬合器データ記録部２２７に記録されたその仮想咬合器データの作成の対象となった患者を特定する情報とともに、仮想咬合器データ記録部２２７に記録される。
表示制御部２２８は、結合部２２６から仮想咬合器データを受取ると、それに基づいて仮想咬合器をディスプレイ２３０に表示するための例えば動画の画像データを作り、その画像データをインタフェイス２１５を介してディスプレイ２３０に送る。
それにより、ディスプレイ２３０には、仮想咬合器の画像が例えば動画により表示される。
【００６３】
次いで、下顎運動の記録について説明する。
下顎運動を記録する場合には、アンダーボウ１４０を、より詳細にはアンダーボウ１４０の下バイトフォーク１４５を患者の下顎歯列に固定する。
そして、スタイラス１４４のフラッグ１１５に対する相対的な位置関係がある程度の幅のある適当な関係になるように、連結部材１４３、横棒１４２等の調整を行う。例えば、患者が上顎歯列と下顎歯列とを自然に噛合わせたときに、フラッグ１１５のセンサ部１１５Ａのおよそ中心にスタイラス１４４の針状部１４４Ｂが適当な圧力で接するように、上述の調整を行う。
次に、リファレンス画像の撮像を行い、リファレンス画像についてのリファレンス画像データを生成する。上述したように、リファレンス画像は、基準面に対する上顎歯列と下顎歯列の位置関係を把握できるようにするための画像であり、上述のように、この実施形態では、アッパーボウ１１０とアンダーボウ１４０とが写し込まれた画像である。
【００６４】
次いで、リファレンス画像データを、診断装置２００に送る。リファレンス画像データは、受付部２２１で受付けられ、リファレンスポジション決定部２２９に送られる。
リファレンスポジション決定部２２９は、仮想咬合器の画像上での下顎のリファレンスポジションを、リファレンス画像データと、運動データから決定する。リファレンスポジションを示すリファレンスポジションデータは、リファレンスポジション決定部２２９から、下顎運動画像データ生成部２３０に送られる。
【００６５】
下顎運動画像データ生成部２３０は、上述のように受付部２２１から運動データを受付け、また、リファレンスポジション決定部２２９からリファレンスポジションデータを受付ける。
下顎運動画像データ生成部２３０は、リファレンスポジションデータにより、仮想咬合器の画像上における下顎のリファレンスポジションを決定した上で、仮想咬合器データ記録部２２７から読出した仮想咬合器データにより特定される仮想咬合器の画像上に、患者の下顎運動を示すマークを書込む処理を実行するか、或いは、仮想咬合器の画像上における下顎を、アニメーションにより患者の下顎運動を再現するように下顎運動させる処理を実行し、それら処理の結果生成されたデータである下顎運動画像データを生成する。
これら下顎運動画像データにより再現される下顎運動画像は、各患者にユニークな関節の位置や動きを再現したものとなり、それにより表現される仮想咬合器上の上顎歯列と下顎歯列の相対的な動きは、その仮想咬合器があたかも全調節咬合器であるかのようなものとなる。
下顎運動画像データ生成部２３０は生成した下顎運動画像データを、仮想咬合器データ記録部２２７及び表示制御部２２８に送る。
【００６６】
仮想咬合器データ記録部２２７には、仮想咬合器データに加えて、下顎運動画像データが記録される。好ましくは、同じ患者の仮想咬合器データと下顎運動画像データは対応させて仮想咬合器データ記録部２２７に記録される。
また、表示制御部２２８は、下顎運動画像データに基づき、患者の下顎運動を示すマークを書き込まれた仮想咬合器の画像か、仮想咬合器の画像上における下顎を、患者の下顎運動を再現するように下顎運動させる動画の画像を、ディスプレイ２３０に表示する。これにより、歯科医師は、直感的に、且つ正確に、患者の下顎運動を把握することができる。
【００６７】
＜変形例＞
この変形例は、下顎運動の記録の仕方が上述した実施形態の場合と異なる。具体的には、下顎運動の記録のために用いるフェイスボウの構成の一部と、診断装置２００の構成、動作の一部とが、上述の実施形態の場合と異なっている。
上述の実施形態では、フラッグ１１５と、スタイラス１４４は、患者の下顎運動を反映したものであり、それらの相対的な位置関係に関するデータである運動データを出力することができるようになっていた。
しかしながら、フラッグ１１５と、スタイラス１４４は、運動データを出力するものでなくても構わない。例えば、フラッグ１１５は、データの出力が可能なセンサ部１１５Ａを備えていなくても構わない。
そのような運動データを出力するものではないフラッグ１１５と、スタイラス１４４とを備えたフェイスボウを用いて下顎運動を記録する場合には、上述の実施形態ではフラッグ１１５とスタイラス１４４とから出力されていた運動データに相当するものを、どうにかして生成しなければならない。
この変形例では、画像処理によってそれを行うこととしている。３次元画像を撮像することができるカメラ、或いは２つ以上の二次元画像を撮像することができるカメラを用いて、電気的な運動データを出力することができない、例えば単なる板と棒の組合せである、フラッグ１１５とスタイラス１４４とを、患者が下顎運動を行っている間に動画で、撮像する。その動画について、既に述べたような画像処理を行えば、フラッグ１１５とスタイラス１４４の相対的な位置関係を検出することができ、そしてフラッグ１１５とスタイラス１４４の相対的な位置関を係示すそのデータは、上述した実施形態における運動データに相当するものとなる。かかる運動データに相当するデータを生成するために必要な動画の画像をここでは運動動画と称することにするが、運動動画に上述した第３参照部材１１５Ｅと、第４参照部材１１４Ｃとが写り込んでいるのであれば、運動動画から、フラッグ１１５とスタイラス１４４の相対的な位置関係を求めるのは容易である。そして、そのように生成された運動データに相当するデータは、上述した実施形態の場合と同様に用いられる。
なお、上述の実施形態では、受付部２２１は運動データを受取るようになっていたが、この変形例における受付部２２１は、運動データを受付けず、上述の運動動画の動画データをカメラから受付ける。そして、この変形例では、例えば、リファレンスポジション決定部２２９が（もちろん、運動データに相当する上述のデータを生成する機能を持つ新たな機能ブロックが存在していても構わない）、リファレンスポジションを決定する上述の機能に加えて、運動データに相当する上述のデータを生成するようになっている。
変形例による下顎運動の記録方法によれば、複雑な機能を有するフラッグ１１５と、スタイラス１４４とが不要になる。
【符号の説明】
【００６８】
１００  フェイスボウ
１１０  アッパーボウ
１１１  本体部
１１１Ａ  フレーム部
１１１Ｂ  ブリッジ部
１１１Ｂ１  ネジ
１１１Ｃ  智
１１１Ｃ１  長孔
１１１Ｄ  取付部
１１１Ｅ  ネジ
１１２  支持ブロック
１１２Ａ  ネジ
１１３  位置決め棒
１１３Ａ  水平部
１１３Ｂ  垂直部
１１４  テンプル
１１４Ａ  前テンプル部
１１４Ｂ  後テンプル部
１１４Ａ１  ネジ
１１５  フラッグ
１１５Ａ  センサ部
１１５Ｂ  枠
１１５Ｃ  ネジ
１１５Ｄ  ケーブル
１１５Ｅ  第３参照部材
１１５Ｅ１  第３参照体
１１６  第１参照部材
１１６Ｂ  第１参照体
１２０  バイトフォーク
１２１  バイトフォーク本体
１２２  接続部
１２３  第２参照部材
１２３Ｂ  第２参照体
１４０  アンダーボウ
１４１  前棒
１４２  横棒
１４３  連結部材
１４３Ａ  ネジ
１４３Ｂ  管
１４３Ｃ  ネジ
１４４  スタイラス
１４４Ａ  スタイラス本体
１４４Ｂ  針状部
１４４Ｃ  第４参照部材
１４４Ｃ１  第４参照体
１４５  下バイトフォーク
１４５Ａ  固定板
２００  診断装置
２２０  入力装置
２３０  ディスプレイ
２１１  ＣＰＵ
２１２  ＲＯＭ
２１３  ＲＡＭ
２１４  ＨＤＤ
２１５  インタフェイス
２１６  バス
２２１  受付部
２２２  制御部
２２３  モデル生成部
２２４  位置データ生成部
２２５  フェイスボウデータ記録部
２２６  結合部
２２７  仮想咬合器データ記録部
２２８  表示制御部
２２９  リファレンスポジション決定部
２３０  下顎運動画像データ生成部
【図１】
2016022228.tif 000003
【図２】
2016022228.tif 000004
【図３】
2016022228.tif 000005
【図４】
2016022228.tif 000006
【図５】
2016022228.tif 000007
【図６】
2016022228.tif 000008
【図７】
2016022228.tif 000009
【図８】
2016022228.tif 000010